(57)【特許請求の範囲】
【請求項１】
複数の画像データからなる連写画像データを複数組記憶するとともに、通常の撮像画像データを記憶する記憶手段と、
この記憶手段に記憶されている画像データが、前記連写画像データ及び通常の撮像画像データのうちのいずれであるかを判別する判別手段と、
この判別手段による判別結果に基づいて連写画像データを複数組選択する選択手段と、
この選択手段により選択された複数組の連写画像データを同時に再生させる再生制御手段と、
を備えたことを特徴とする画像再生装置。
【請求項２】
前記選択手段は、前記判別手段により連写画像データであると判別された画像データの中から所望の連写画像データを複数組選択することを特徴とする請求項１記載の画像再生装置。
【請求項３】
画像を表示する表示手段をさらに備え、
前記再生制御手段は、前記表示手段に、前記選択手段により選択された複数組の連写画像データを同時に再生させることを特徴とする請求項１又は２記載の画像再生装置。
【請求項４】
画像データを外部表示器に送信する送信手段をさらに備え、
前記再生制御手段は、前記選択手段により選択された複数組の連写画像データを前記送信手段から前記外部表示器に送信し、当該外部表示器に前記複数組の連写画像データを同時に再生させることを特徴とする請求項１又は２記載の画像再生装置。
【請求項５】
前記選択手段により選択された連写画像データの組数に応じて前記表示手段に表示する表示画面を分割する分割数を変更する分割数変更手段をさらに備え、
前記再生制御手段は、前記分割数変更手段により変更された分割数により分割される表示画面の各表示領域に、前記選択手段により選択された複数組の連写画像データを同時に再生させることを特徴とする請求項３記載の画像再生装置。
【請求項６】
前記再生制御手段は、前記複数組の連写画像データを同時に再生させる際に、同時に再生させる複数組の連写画像データの多重合成処理を行い、多重合成された連写画像データを再生させることを特徴とする請求項３又は４記載の画像再生装置。
【請求項７】
画像を表示する表示手段と、
画像データを外部表示器に送信する送信手段とを備え、
前記再生制御手段は、前記選択手段により選択された複数組の連写画像データを同時に再生させる際に、同時に再生させる複数組の連写画像データのうち少なくとも１つの連写画像データを前記表示手段に再生させると共に、同時に再生させる複数組の連写画像データのうち少なくとも１つの連写画像データを前記送信手段から送信することにより外部表示器に再生させることを特徴とする請求項１記載の画像再生装置。
【請求項８】
被写体の画像を連続撮影する連写手段をさらに備え、
前記連写画像データは、前記連写手段により連続撮影された連写画像データであることを特徴とする請求項１乃至７のいずれかに記載の画像再生装置。
【請求項９】
前記再生制御手段は、前記連写画像データを再生させる際に、該連写画像データを構成する複数の画像データを予め設定されている表示時間間隔で順次再生させる手段を含むことを特徴とする請求項３乃至７のいずれかに記載の画像再生装置。
【請求項１０】
１画像当たりの表示時間を設定する表示時間設定手段をさらに備え、
前記再生制御手段は、前記連写画像データを再生させる際に、該連写画像データを構成する複数の画像データを前記表示時間設定手段により設定された表示時間間隔で順次再生させる手段を含むことを特徴とする請求項３乃至７のいずれかに記載の画像再生装置。
【請求項１１】
再生画像の表示切り換えを指示する指示手段をさらに備え、
前記再生制御手段は、前記指示手段による切り換え指示に応じて次の再生画像に切り換えることを特徴とする請求項３乃至７のいずれかに記載の画像再生装置。
【請求項１２】
前記連写画像データを構成する複数の画像データのうちのいずれか１つを指定する指定手段をさらに備え、
前記再生制御手段は、前記連写画像データを再生させる際に、前記指定手段により指定された画像データから再生を開始させることを特徴とする請求項２記載の画像再生装置。
【請求項１３】
前記選択手段は、前記指定手段を用いて再生開始の画像データを指定することにより、所望の連写画像データを選択することを特徴とする請求項１２記載の画像再生装置。
【請求項１４】
複数の画像データからなる連写画像データを記憶手段に複数組記憶するとともに、通常の撮像画像データを記憶手段に記憶する工程と、
記憶手段に記憶されている画像データが、前記連写画像データ及び通常の撮像画像データのうちのいずれであるかを判別する工程と、
判別結果に基づいて連写画像データを複数組選択する工程と、
選択された複数組の連写画像データを同時に再生させる工程と、
を備えたことを特徴とする画像再生方法。
【発明の詳細な説明】
【０００１】
【発明の属する技術分野】
本発明は、画像再生装置及び画像再生方法に係り、詳細には、各連写画像データを構成する複数の画像データを連続再生する画像再生装置及び画像再生方法に関する。
【０００２】
【従来の技術】
近時、撮像した画像をフィルムの代わりに電子的に記憶するデジタルカメラ（画像撮像装置）が普及している。このようなデジタルカメラでは、撮影者がシャッターを押すと、撮像レンズを介して取り込んだ被写体の画像が、例えば、ＣＣＤ（Charge Coupled Device ）等の撮像素子によって捕捉され、データ圧縮等が行なわれた後、内部メモリに画像データとして記憶される。
【０００３】
このようなデジタルカメラの中には、撮影者の一度のシャッター操作によって、一定の時間間隔で連続して複数の画像を撮像する連写撮影モードを備えるものがある。また、このような連写撮影モードを備えたデジタルカメラの中には、液晶表示ユニットを備え、その表示画面に前記連写撮影モードで撮像された連写画像を連続して再生表示する連写画像再生機能を備えるものもある。
【０００４】
【発明が解決しようとする課題】
しかしながら、このような従来の連写画像再生機能を有するデジタルカメラ（画像再生装置）においては、以下に述べるような課題があった。
【０００５】
すなわち、従来の連写画像再生機能を有するデジタルカメラでは、表示画面上に再生される画像は１組の連写画像のみであり、複数の連写画像を同時に若しくは交互に、表示画面上に再生することができなかったため、他の連写画像と比較することが困難であった。例えば、テニスやゴルフのスイングのフォームを連写モードで撮影した際に、自分のフォームをコーチのフォームと比較する等の使い方ができず、連写画像を十分に活用することが困難であった。
【０００６】
本発明の課題は、複数画像からなる各連写画像を同時に連続再生することにより当該各連写画像の相互比較を容易且つ迅速に行うことが可能な画像再生装置、及び画像再生方法を提供することである。
【０００７】
【課題を解決するための手段】
請求項１記載の発明は、
複数の画像データからなる連写画像データを複数組記憶するとともに、通常の撮像画像データを記憶する記憶手段と、
この記憶手段に記憶されている画像データが、前記連写画像データ及び通常の撮像画像データのうちのいずれであるかを判別する判別手段と、
この判別手段による判別結果に基づいて連写画像データを複数組選択する選択手段と、
この選択手段により選択された複数組の連写画像データを同時に再生させる再生制御手段と、
を備えたことを特徴とする。
【０００８】
請求項１４の発明は、
複数の画像データからなる連写画像データを記憶手段に複数組記憶するとともに、通常の撮像画像データを記憶手段に記憶する工程と、
記憶手段に記憶されている画像データが、前記連写画像データ及び通常の撮像画像データのうちのいずれであるかを判別する工程と、
判別結果に基づいて連写画像データを複数組選択する工程と、
選択された複数組の連写画像データを同時に再生させる工程と、
を備えたことを特徴とする。
【０００９】
したがって、請求項１及び請求項１４載の発明によれば、記憶手段に記憶されている複数組の連写画像データを同時に再生させるため、複数組の連写画像データの相互比較を容易にかつ迅速に行うことが可能となり、ゴルフのスイングなどの一連の動作からなる連写画像データの相互比較に有効な画像再生装置及び画像再生方法を実現できる。
請求項２記載の発明は、
請求項１記載の画像再生装置において、
前記選択手段は、前記判別手段により連写画像データであると判別された画像データの中から所望の連写画像データを複数組選択することを特徴とする。
したがって、請求項２記載の発明によれば、複数組の連写画像データの相互比較を容易にかつ迅速に行うことが可能となる。
【００１０】
請求項３記載の発明は、
請求項１又は２記載の画像再生装置において、
画像を表示する表示手段をさらに備え、
前記再生制御手段は、前記表示手段に、前記選択手段により選択された複数組の連写画像データを同時に再生させることを特徴とする。
したがって、請求項３記載の発明によれば、画像再生装置に再生された連写画像データを表示する表示機能が付加されているため、画像再生装置で直接連写画像データの再生画像を表示することが可能となる。
請求項４記載の発明は、
請求項１又は２記載の画像再生措置において、
画像データを外部表示器に送信する送信手段をさらに備え、
前記再生制御手段は、前記選択手段により選択された複数組の連写画像データを前記送信手段から前記外部表示器に送信し、当該外部表示器に前記複数組の連写画像データを同時に再生させることを特徴とする。
したがって、請求項４記載の発明によれば、画像データを外部表示器に送信する送信機能が付加されているため、複数の連写画像データを外部表示器に送信して、外部表示器に複数の連写画像データを表示することが可能となる。
請求項５記載の発明は、
請求項３記載の画像再生装置において、
前記選択手段により選択された連写画像データの組数に応じて前記表示手段に表示する表示画面を分割する分割数を変更する分割数変更手段をさらに備え、
前記再生制御手段は、前記分割数変更手段により変更された分割数により分割される表示画面の各表示領域に、前記選択手段により選択された複数組の連写画像データを同時に再生させることを特徴とする。
【００１１】
したがって、請求項５記載の発明によれば、画像を表示する表示画面が同時に再生させる連写画像データの組数に応じて分割され、その分割した各表示領域に各連写画像データが表示されるため、同一表示画面内に複数の連写画像データを並べて表示することが可能となるとともに、表示画面の領域を有効利用することが可能となる。
【００１２】
請求項６記載の発明は、
請求項３又は４記載の画像再生装置において、
前記再生制御手段は、前記複数組の連写画像データを同時に再生させる際に、同時に再生させる複数組の連写画像データの多重合成処理を行い、多重合成された連写画像データを再生させることを特徴とする。
【００１３】
したがって、請求項６記載の発明によれば、同時に再生される画像データが重ねて再生されるため、連写画像データの相互比較を詳細に行うことが可能となる。
【００１８】
請求項７記載の発明は、
請求項１記載の画像再生措置において、
画像を表示する表示手段と、
画像データを外部表示器に送信する送信手段とを備え、
前記再生制御手段は、前記選択手段により選択された複数組の連写画像データを同時に再生させる際に、同時に再生させる複数組の連写画像データのうち少なくとも１つの連写画像データを前記表示手段に再生させると共に、同時に再生させる複数組の連写画像データのうち少なくとも１つの連写画像データを前記送信手段から送信することにより外部表示器に再生させることを特徴とする。
【００１９】
したがって、請求項７記載の発明によれば、画像データを表示する表示機能、及び画像データを外部表示器に送信する送信機能が付加されているため、複数組の連写画像データの少なくとも一つを画像再生装置本体で表示し、他の連写画像データを外部表示器に表示することが可能となる。
【００２０】
請求項８記載の発明は、
請求項１乃至７のいずれかに記載の画像再生措置において、
被写体の画像を連続撮影する連写手段をさらに備え、
前記連写画像データは、前記連写手段により連続撮影された連写画像データであることを特徴とする。
【００２１】
したがって、請求項８記載の発明によれば、画像再生装置に被写体の画像を連続撮影する連写機能が付加されているため、画像再生装置で直接被写体の画像データを連続して取り込むことが可能となり、また、画像再生装置で直接連続して取り込んだ被写体の画像を連続再生することができる。
【００２２】
請求項９記載の発明は、
請求項３乃至７のいずれかに記載の画像再生装置において、
前記再生制御手段は、前記連写画像データを再生させる際に、該連写画像データを構成する複数の画像データを予め設定されている表示時間間隔で順次再生させる手段を含むことを特徴とする。
【００２３】
したがって、請求項９記載の発明によれば、予め設定されている表示時間間隔で画像データが再生されるため、各連写画像データを構成する複数の画像データを自動的に連続再生することが可能となり、操作性の向上が図られる。
【００２４】
請求項１０記載の発明は、
請求項３乃至７のいずれかに記載の画像再生装置において、
１画像当たりの表示時間を設定する表示時間設定手段をさらに備え、
前記再生制御手段は、前記連写画像データを再生させる際に、該連写画像データを構成する複数の画像データを前記表示時間設定手段により設定された表示時間間隔で順次再生させる手段を含むことを特徴とする。
【００２５】
したがって、請求項１０記載の発明によれば、連写画像データの連続自動再生を所望の表示時間間隔で実行することが可能となり、実用性の向上が図られる。
【００２６】
請求項１１記載の発明は、
請求項３乃至７のいずれかに記載の画像再生装置において、
再生画像の表示切り換えを指示する指示手段をさらに備え、
前記再生制御手段は、前記指示手段による切り換え指示に応じて次の再生画像に切り換えることを特徴とする。
【００２７】
したがって、請求項１１記載の発明によれば、再生画像の切り換えを指示することにより、再生画像が切り換えられるため、マニュアル操作が可能となり、また各連写画像データを相互比較する場合に、当該各連写画像データを構成する画像データを相互比較し終えた時に再生画像の切り換えを行うことができる。
例えば、相互比較の容易な画像データと相互比較の困難な画像データからなる連写画像データを相互比較する場合に、また、重要度の異なる画像データからなる連写画像データを相互比較する場合に、有効な画像再生装置となる。
【００２８】
請求項１２記載の発明は、
請求項２記載の画像再生装置において、
前記連写画像データを構成する複数の画像データのうちのいずれか１つを指定する指定手段をさらに備え、
前記再生制御手段は、前記連写画像データを再生させる際に、前記指定手段により指定された画像データから再生を開始させることを特徴とする。
【００２９】
請求項１３記載の発明は、
請求項１２記載の画像再生装置において、
前記選択手段は、前記指定手段を用いて再生開始の画像データを指定することにより、所望の連写画像データを選択することを特徴とする。
【００３０】
したがって、請求項１２、１３記載の発明によれば、連写画像データを構成する複数の画像データから再生を開始する画像データを指定することができるため、所望の画像データから再生を開始することが可能となり、連写画像データを構成する複数の画像データの相互比較をより容易にかつ迅速に行うことができる。
例えば、ゴルフのスイングに関する２つの連写画像データを相互比較する場合、ゴルフのスイングが開始される画像データが、一の連写画像データでは当該一の連写画像データを構成する複数の画像データのうちの１つ目の画像データであり、他の連写画像データでは当該他の連写画像データを構成する複数の画像データのうちの３つ目の画像データであるときでも、再生を開始する画像を一の連写画像データでは１つ目の画像データを、他の連写画像データでは３つ目の画像データを指定することにより、ゴルフのスイングの開始タイミングを合わせることができ、実用性の高い画像再生装置となる。
【００３１】
【発明の実施の形態】
以下、図１〜図２５を参照して本発明に係るデジタルカメラ１の実施の形態を詳細に説明する。
【００３２】
まず、構成を説明する。
【００３３】
図１は、本発明を適用したデジタルカメラ１（電子スチルカメラ）の外観斜視図である。
【００３４】
図１においてデジタルカメラ１には、本体ケーシング１ａの図中背面側に撮像レンズ１１（点線）が設けられている。また、本体ケーシング１ａの図中前面側には、液晶ディスプレイ（ＬＣＤ：Liquid Crystal Display）等により構成される表示部１２が設けられ、この表示部１２には、ファインダーとして、撮影時に撮像レンズ１１を介して取り込んだ被写体の画像を表示することが、また、撮影後に撮像した画像を再生表示することができる。この表示部１２の右側には、上下へのスライド操作により撮影モード、再生モード、及び通信モードの切換えを指示するモード切換スイッチ１３が設けられている。
【００３５】
また、本体ケーシング１ａの図中上面側には、左右へのスライド操作により電源のＯＮ／ＯＦＦ切換えを指示する電源スイッチ１４、画像の撮像を指示する（連写撮影時には押圧状態を続ける）とともに、各モードにおいて選択内容の決定を指示するシャッターキー１５、各種メニュー表示を指示し、また、各モードにおいて選択内容のキャンセルを指示するメニューキー１６、メモリ（後述するフラッシュメモリ３１）に記憶された複数の画像データの中から表示部１２に再生表示する画像データを選択指定したり、各モードにおいて設定条件を選択するための「＋」キー１７ａ及び「−」キー１７ｂ、が設けられている。
【００３６】
更に、本体ケーシング１ａの図中上面側には、外部機器との間で通信ケーブル（図示省略）を介して画像データ、制御データ等を送受信するためのシリアル入出力端子１８ａと、外部機器に対して表示部１２へのビデオ信号（表示データ）と同じビデオ信号を出力するためのビデオ出力端子１８ｂとが設けられている。前記シリアル入出力端子１８ａには、例えば、ＲＳ−２３２Ｃ（シリアル形式）等の通信ケーブルが接続可能である。また、本体ケーシング１ａの図中背面側には、外部機器との間で赤外線信号により画像データ、制御データ等を送受信するための赤外線窓１９（点線）が設けられている。
【００３７】
なお、デジタルカメラ１は、撮像レンズ１１を備えたカメラ部と本体部とからなり、本体部に対してカメラ部を回転自在、あるいは着脱自在に配設し、本体部に対して撮像レンズ１１の位置を様々に回転、あるいは移動可能な構成としてもよい。
【００３８】
次に、図２は、図１に示したデジタルカメラ１の回路構成を示すブロック図である。
【００３９】
図２においてデジタルカメラ１は、図１に示した表示部１２と、ＣＣＤ２０、アンプ２１、Ａ／Ｄ変換器２２、駆動回路２３、タイミングジェネレータ２４、シグナルジェネレータ２５、ＶＲＡＭ２６、Ｄ／Ａ変換器２７、アンプ２８、ＤＲＡＭ２９、圧縮／伸長回路３０、フラッシュメモリ３１、ＣＧ３２、ＲＯＭ３３、ＲＡＭ３４、キー入力部３５、ＣＰＵ３６、Ｉ／Ｏポート３７、及び赤外線通信部３８と、により構成されている。
【００４０】
ＣＣＤ２０は、フォトダイオード等の受光部に転送電極を重ねた素子（画素）を平面状に多数配設した画素面と、各画素に蓄積された電荷を電圧に変換して出力する出力部とから構成される。撮像レンズ１１を介して入射した光は前記画素面で受光され、各画素には受光量に比例した電荷が蓄積される。各画素の蓄積電荷は、駆動回路２３から供給される駆動信号に応じて前記出力部により撮像信号（アナログ信号）として１画素分ずつ順次読み出され、アンプ２１を介してＡ／Ｄ変換器２２に出力される。
【００４１】
Ａ／Ｄ（Analog to Digital ）変換器２２は、ＣＣＤ２０からバッファ２１を介して入力される撮像信号をアナログ信号からデジタル信号に変換し、タイミングジェネレータ２４に供給する。
【００４２】
駆動回路２３は、タイミングジェネレータ２４から供給されるタイミング信号に基づいてＣＣＤ２０の露光及び読み出しタイミングを駆動制御する。また、タイミングジェネレータ２４は、ＣＰＵ３６から入力される映像取り込み信号に基づいて駆動回路２３を制御するタイミング信号を生成する。
【００４３】
シグナルジェネレータ２５は、タイミングジェネレータ２４を介して供給される撮像信号（デジタル信号）に対して色演算処理を行ない、輝度信号（Ｙデータ）と色信号（Ｃデータ）により構成される画像データを生成し、この画像データをＤＲＡＭ２９に出力する。
【００４４】
また、シグナルジェネレータ２５は、ＣＰＵ３６によりＤＲＡＭ２９から供給された画像データに同期信号を付加する等してビデオ信号（デジタル信号）を生成して一旦、ＶＲＡＭ２６に格納し、その後、ＶＲＡＭ２６に格納したビデオ信号をＤ／Ａ変換器２７及びアンプ２８を介して表示部１２に出力する。また、ビデオ出力端子１８ｂにビデオケーブルを介して外部機器が接続されている場合は、該ビデオ信号をこの外部機器に対しても出力する。
【００４５】
ＶＲＡＭ（Video Random Access Memory）２６は、シグナルジェネレータ２５により生成されたビデオ信号（表示データ）を一時的に格納するビデオメモリであり、表示部１２の１画面分の表示データを格納可能なメモリ容量を有する。
【００４６】
Ｄ／Ａ（Digital to Analog ）変換器２７は、シグナルジェネレータ２５によりＶＲＡＭ２６から供給されるビデオ信号（表示データ）をデジタル信号からアナログ信号に変換し、アンプ２８を介して表示部１２に、また、ビデオ出力端子１８ｂにビデオケーブルを介して外部機器が接続されている場合は、該ビデオ信号をこの外部機器に対しても出力する。
【００４７】
表示部１２は、液晶ディスプレイ等により構成され、Ｄ／Ａ変換器２７及びアンプ２８を介して入力されたビデオ信号（表示データ）に基づいて表示画面に画像を表示する。この表示部１２は、ファインダーとして、撮影時に撮像レンズ１１を介して取り込んだ被写体の画像を表示することが、また、撮影後に、フラッシュメモリ３１に格納されている撮像した画像データを再生表示することができる。
【００４８】
また、この表示部１２は、後述する連写画像再生表示処理（図１２参照）においては、同時に再生表示を行う連写画像の組数に応じた領域分割がなされ、それぞれの表示領域に連写画像データを再生表示することができる。
【００４９】
ＤＲＡＭ（Dynamic Random Access Memory）２９は、シグナルジェネレータ２５から供給される撮像した画像データ、あるいはＣＰＵ３６によりフラッシュメモリ３１から読み出され、後述する圧縮／伸長回路３０により伸長処理された画像データを一時的に格納する半導体メモリである。また、このＤＲＡＭ２９は、後述する連写画像再生表示処理（図１２参照）の際に、複数組の連写画像データに基づいて１画面分の連写画像データを合成するための作業領域としても使用される。
【００５０】
圧縮／伸長回路３０は、ＤＲＡＭ２９に格納された画像データを符号化により圧縮処理する。具体的には、画像データを所定の符号化方式、すなわち、取り扱う画像の種類（この場合、静止画）に応じた、例えば、ＪＰＥＧ（Joint Photographic Experts Group）アルゴリズムによる８×８画素毎のＤＣＴ（Discrete Cosine Transform ：離散コサイン変換）、量子化、ハフマン符号化により圧縮処理（符号化処理）し、この圧縮処理した画像データをフラッシュメモリ３１に出力する。また、後述するコメント画像合成処理（図２４参照）によりコメント画像データの合成された画像データについても同様に圧縮処理を行ない、フラッシュメモリ３１に出力する。更に、圧縮／伸長回路３０は、フラッシュメモリ３１に格納されている圧縮処理された画像データを復号化して伸長処理し、ＤＲＡＭ２９に出力する。
【００５１】
フラッシュメモリ３１は、圧縮／伸長回路３０により圧縮処理された画像データを複数格納する半導体メモリであり、図３を用いて、以下詳細に説明する。
【００５２】
図３は、フラッシュメモリ３１のメモリ構成について示す図であり、同図に示すようにフラッシュメモリ３１には、「ページＮｏ．データ」、「連写フラグ」、「連写数データ」、「連写Ｎｏ．データ」、及び「画像データ」が対応付けられて複数格納されている。
【００５３】
「ページＮｏ．データ」は、画像データに対して当該フラッシュメモリ３１への格納順に割り当てられる格納順序を示す数値データである。例えば、最初にフラッシュメモリ３１に格納される画像データには「ページＮｏ．データ」として"１"が、次に格納される画像データには「ページＮｏ．データ」として"２"が割り当てられる。
【００５４】
「連写フラグ」は、画像再生時に、連写撮影された連写画像データの画像データと、通常の撮像画像データ（連写撮影されていない画像データ）を区別するためのフラグである。そして、「連写フラグ」には、対応する画像データが連写撮影された１組の連写画像データのうちの１枚である場合に"１"が、対応する画像データが通常の撮像画像データである場合に"０"が設定される。
【００５５】
「連写数データ」は、対応する画像データを含む連写画像データの１組が、何枚の連写画像で構成されているかを示す値であり、例えば、撮影時に４連写画像として撮像処理された４枚の画像データのそれぞれには、「連写数データ」として"４"が格納される。
【００５６】
「連写Ｎｏ．データ」は、対応する画像データを含む連写画像データの１組の中で、該画像データが何枚目の画像であるかを示す値であり、例えば、撮影時に４連写画像として撮像処理された４枚の画像データの内、１枚目に撮像された画像データに対しては「連写Ｎｏ．データ」として"１"が、２枚目に撮像された画像データに対しては「連写Ｎｏ．データ」として"２"が、対応づけられて格納される。
【００５７】
また、フラッシュメモリ３１は、電源スイッチ１４の押圧操作により電源がＯＦＦとされたときには、最後に撮像された画像データの「ページＮｏ．データ」＋１、最後に再生表示されていた画像データの「ページＮｏ．データ」、ＲＡＭ３４内の後述する撮像条件メモリ３４ｃに格納された各種撮像条件データ等を保存する。
【００５８】
図２に戻って、ＣＧ（Character Generator ）３２は、表示部１２に表示される、例えば、操作ガイダンス用のカナ、漢字、英数字、記号等のキャラクタデータを格納するメモリである。
【００５９】
ＲＯＭ（Read Only Memory）３３は、後述する撮像処理（図９参照）、再生表示処理（図１０参照）、連写画像再生表示処理（図１２参照）、コメント画像合成処理（図２４参照）の他、通信処理等のＣＰＵ３６により実行されるデジタルカメラ１の各部を制御するための各種制御プログラムを格納する。この各種制御プログラムは、ＣＰＵ３６が読み取り可能なプログラムコードの形態で記憶されている。
【００６０】
また、ＲＯＭ３３は、後述する連写画像再生表示処理（図１２参照）においてＲＡＭ３４内の後述する連写画像再生条件メモリ３４ｂに展開されるデータ、及び後述する撮像処理（図９参照）においてＲＡＭ３４内の後述する撮像条件メモリ３４ｃに展開されるデータを、前記各種制御プログラム内に記憶している。
【００６１】
また、このＲＯＭ３３は、後述するコメント画像合成処理（図２４参照）においてコメント画像を作成するために必要なデータや制御コード等を格納した、定型コメント文格納テーブル３４ｄ（図７参照）、及びプレート格納テーブル３４ｅ（図８参照）を格納する。これらの各テーブル３４ｄ、及び３４ｅは、コメント画像合成処理（図２４参照）の際にＣＰＵ３６によって読み出され、ＲＡＭ３４に展開される。
【００６２】
ＲＡＭ（Random Access Memory）３４は、図４に示すように、ＣＰＵ３６により各種制御処理が実行される際に、その制御処理を司るプログラムを展開する、あるいは処理される各種データを一時的に格納するワークメモリ３４ａ、後述する連写画像再生表示処理（図１２参照）により設定された各種連写画像再生条件を格納する連写画像再生条件メモリ３４ｂ（図５参照）、後述する撮像処理（図９参照）により設定された各種撮像条件データを格納する撮像条件メモリ３４ｃ（図６参照）を形成する。また、このＲＡＭ３４には、定型コメント文格納テーブル３４ｄ（図７参照）、及びプレート格納テーブル３４ｅ（図８参照）等が、前記ＲＯＭ３３からＣＰＵ３６によって読み出され、展開される。
【００６３】
図５（ａ）において、前記ＲＡＭ３４内の連写画像再生条件メモリ３４ｂは、後述する連写画像再生表示処理（図１２参照）において使用される「組数データ」、「表示時間間隔」、「最大連続数」、「連続再生画像データ情報」、及び後述するコメント画像合成処理（図２４参照）において使用される「コメント画像データ情報」によって構成されている。
【００６４】
「組数データ」は、表示部１２の表示領域を分割して、同時に再生表示を行う連写画像の組数を示すデータである。例えば、「組数データ」が"２"であれば左右の２分割表示、"３"あるいは"４"であれば表示部１２の縦横をそれぞれ２等分した４分割表示、"５"〜"９"であれば表示部１２の縦横をそれぞれ３等分した９分割表示等により表示部１２の画面の表示領域の分割が行われる。なお、組数データが"３"の場合、左中右の３分割表示を行うようにしてもよく、上記の分割に限定されるものではない。
【００６５】
「表示時間間隔」は、連写画像を構成する各画像を順に連続再生表示する時間間隔、換言すれば１画像を表示部１２に表示する時間、を示すデータである。この「表示時間間隔」は、初期設定としては連写撮影時の撮影時間間隔と同じ時間間隔が設定されているが、表示時間間隔設定メニュー（図１４参照）によって、ユーザーの所望の時間間隔に設定することもできる。
【００６６】
「最大連続数」は、表示部１２の表示領域を分割して、同時に再生表示を行う各組の連写画像に含まれる画像の枚数の中で最大のものを示すデータであり、連続再生時のコマ送り回数にあたるものである。
【００６７】
「連続再生画像データ情報」は、図５（ｂ）に示すように、前記「組数データ」に応じた数のそれぞれの連写画像の組の順序として割り当てられた「組番号データ」と、該「組番号データ」で表される１組の連写画像の先頭の画像データの「ページＮｏ．データ」を示す「先頭画像ページＮｏ．データ」と、各組の連写画像を構成する画像の数を示す「連続数」と、が対応づけられて複数格納されている。
【００６８】
例えば、図５（ｂ）に示すように、「組番号データ」"１"の「先頭画像ページＮｏ．データ」"７"、及び「連続数」"４"がそれぞれ対応づけられる。この結果、「組番号データ」として"１"が割り当てられた連写画像は、「ページＮｏ．データ」＝７，８，９，１０に対応する４枚の画像データから構成されていることになる。図５（ｂ）においては、「組番号データ」が"２"まで割り当てられているため、前記連写画像再生条件メモリ３４ｂの「組数データ」は"２"となり、「連続数」は"４"が最大であるので、前記連写画像再生条件メモリ３４ｂの「最大連続数」は"４"となる。
【００６９】
「コメント画像データ情報」は、図５（ｃ）に示すように、後述するコメント画像合成処理（図２４参照）において、図７に示す定型コメント文格納テーブル３４ｄから選択した定型コメント文データに対応する「格納Ｎｏ．データ」を示す「定型コメント文格納Ｎｏ．データ」と、図８に示すプレート格納テーブル３４ｅから選択したプレート画像データに対応する「格納Ｎｏ．データ」を示す「プレート格納Ｎｏ．データ」と、コメント画像（コメント文＋プレート）を合成する対象の複数組の連写画像の内のそれぞれ１枚を指定するための「ページＮｏ．データ」を示す「合成対象画像データ」と、コメント画像を合成する位置の中心を指定する「合成座標」と、が対応づけられている。
【００７０】
例えば、図５（ｃ）に示すように、「定型コメント文格納Ｎｏ．データ」＝１、「プレート格納Ｎｏ．データ」＝３によって、図７、図８から"ナイスショット"のコメント文と長円形のプレートがコメント画像として指定され、「合成対象画像データ」＝９，１５によって「ページＮｏ．データ」＝９，１５の２枚の画像を表示した場面に、前記指定されたコメント画像が「合成座標」＝（Ｘ，Ｙ）の位置に対応づけて合成される。
【００７１】
なお、図５（ｃ）は各連写画像を構成する画像データの１つに対してコメント画像を合成する場合のコメント画像データ情報の例であるが、これに限定されるものではない。
例えば、「定型コメント格納Ｎｏ．データ」"２"、「プレート格納Ｎｏ．データ」"３"、「合成対象画像データ」"７，１３"を対応付け、「定型コメント格納Ｎｏ．データ」"３"、「プレート格納Ｎｏ．データ」"２"、「合成対象画像データ」"１０，１６"を対応づけるようにして、コメント画像データ情報を作成し、同一の連写画像を構成する複数の画像データに対して、コメント画像を合成するようにしてもよい。
また、「定型コメント格納Ｎｏ．データ」"１"、「プレート格納Ｎｏ．データ」"３"、「合成対象画像データ」"１５"を対応付けるなど、複数組の連写画像のうちのいずれかのみにコメント画像を対応づけて、コメント画像データ情報を作成してもよい。
【００７２】
ＲＡＭ３４内（図４参照）の撮像条件メモリ３４ｃには、図６に示すように、「開始ページＮｏ．データ」、「終了ページＮｏ．データ」、「連写フラグ」、「連写数データ」、「連写Ｎｏ．データ」、「ページＮｏ．データ」と、図示しないその他の各種撮像条件データ（例えば、シャッタースピード、絞り、連写撮影時の撮影時間間隔等）によって構成されている。
【００７３】
「開始ページＮｏ．データ」は、後述する撮像処理（図９参照）において、これから撮像する画像に対応づける、未使用の新たな「ページＮｏ．データ」を格納したデータである。「終了ページＮｏ．データ」は、後述する撮像処理（図９参照）において、一連のシャッターキー１５の押圧状態が終了した時点での「ページＮｏ．データ」を格納したデータである。
【００７４】
この「開始ページＮｏ．データ」と「終了ページＮｏ．データ」を比較することにより連写撮像処理がなされたか、通常の撮像処理がなされたかが判別される。
【００７５】
すなわち、「開始ページＮｏ．データ」＝「終了ページＮｏ．データ」であれば、連写撮影が行われず通常撮影が行われたと判別され、そうでなければ連写撮影が行われたと判別される。
【００７６】
「連写フラグ」、「連写数データ」、及び「連写Ｎｏ．データ」は前記フラッシュメモリ３１内の、各画像データと対応づけられて格納されるデータと同じ形式のデータであり、後述する撮像処理（図９参照）において初期設定がなされると、「連写フラグ」＝"０"、「連写数データ」＝"１"、「連写Ｎｏ．データ」＝"１"がそれぞれ格納される。そして、シャッターキー１５の押圧状態の判別により、連写撮像処理がなされたと判別された際には、「連写フラグ」＝"１"として格納し直され、また、「連写数データ」、及び「連写Ｎｏ．データ」の値はそれぞれインクリメントされる。
【００７７】
上記処理が行われる毎にＲＡＭ３４内の撮像条件メモリ３４ｃに格納された「連写フラグ」、「連写数データ」、及び「連写Ｎｏ．データ」が、前記フラッシュメモリ３１内の対応する「ページＮｏ．データ」の画像データと対応づけられてフラッシュメモリ３１の「連写フラグ」、「連写数データ」、及び「連写Ｎｏ．データ」に格納される。
【００７８】
さらに、シャッターキー１５の押圧状態が終了すると、ＲＡＭ３４内の撮像条件メモリ３４ｃに格納された「連写数データ」が、ＲＡＭ３４内の撮像条件メモリ３４ｃに格納された「開始ページＮｏ．データ」、及び「終了ページＮｏ．データ」の値を参照して、一連の連写撮影された、前記フラッシュメモリ３１内の対応する「ページＮｏ．データ」の画像データと対応づけられてフラッシュメモリ３１の「連写数データ」に格納されるとともに、「連写フラグ」に１が格納される。
【００７９】
「ページＮｏ．データ」は、前記フラッシュメモリ３１内の各画像データと対応づけられて格納される「ページＮｏ．データ」と同じ形式のデータであり、後述する撮像処理（図９参照）において撮像した画像を格納する「ページＮｏ．データ」を一時的に記憶しておくためのＲＡＭ３４内のデータである。そして、一枚の画像の撮像が終了するとこの「ページＮｏ．データ」の値はインクリメントされる。
【００８０】
図７は、ＲＡＭ３４に展開される定型コメント文格納テーブル３４ｄの一例について示す図である。
【００８１】
図７に示す定型コメント文格納テーブル３４ｄには、予め設定されている「定型コメント文データ」（例えば、"ナイスショット"、"ジャストミート"、"ゴール"等）が「格納Ｎｏ．データ」と対応付けられて格納されている。
【００８２】
図８は、ＲＡＭ３４に展開されるプレート格納テーブル３４ｅの一例について示す図である。
【００８３】
図８に示すプレート格納テーブル３４ｅには、異なる形状を有する複数の「プレート画像データ」が各プレート毎に「格納Ｎｏ．データ」と対応付けられて格納されている。後述するコメント画像合成処理（図２４参照）においてコメント文を撮像画像（画像データ）に合成する際には、前記コメント文をこのプレートに重ねて撮像画像に合成することもできる。
【００８４】
キー入力部３５は、前述したモード切換スイッチ１３、電源スイッチ１４、シャッターキー１５、メニューキー１６、「＋」キー１７ａ、及び「−」キー１７ｂにより構成され、各キーの押圧操作やスライド操作に応じた各種操作信号をＣＰＵ３６に出力する。
【００８５】
ＣＰＵ（Central Processing Unit ）３６は、ＲＯＭ３３に格納される各種制御プログラムに従ってデジタルカメラ１の各部を制御する中央演算処理装置である。具体的には、ＣＰＵ３６は、モード切換スイッチ１３がスライド操作されて撮影モードが指定され、更に、シャッターキー１５が連続して押圧状態であるときには、後述する撮像処理（図９参照）を実行する。
【００８６】
ＣＰＵ３６は、シャッターキー１５が押圧操作されると撮像処理を実行し、タイミングジェネレータ２４に映像取り込み信号を出力する。タイミングジェネレータ２４では、前記映像取り込み信号に基づいてタイミング信号を生成して駆動回路２３に出力し、駆動回路２３では、前記タイミング信号に基づいてＣＣＤ２０の露光及び読み出しタイミングを駆動制御して、ＣＣＤ２０により撮像信号を取り込む。Ａ／Ｄ変換器２２では、前記取り込んだ撮像信号をアナログ信号からデジタル信号に変換し、シグナルジェネレータ２５では、前記撮像信号に対して色演算処理を行なって画像データを生成してＤＲＡＭ２９に格納する。そして、ＣＰＵ３６は、ＤＲＡＭ２９に格納された画像データを圧縮／伸長回路３０に転送して圧縮処理を行なわせた後、前記圧縮された画像データを新たな「ページＮｏ．データ」、「連写フラグ（＝０）」、「連写数データ（＝１）」、及び「連写Ｎｏ．データ（＝１）」と対応付けてフラッシュメモリ３１に格納する。
【００８７】
その後、ＣＰＵ３６は、ＲＡＭ３４の撮像条件メモリ３４ｃに展開された各種撮像条件に含まれる、連写撮影時の撮影時間間隔に従った所定の時間分待機し、シャッターキー１５が押圧状態であるか否かを判別する。シャッターキー１５が押圧状態であれば、連写撮影が行われるとして、ＣＰＵ３６は、ＲＡＭ３４内の「連写フラグ」を"１"とし、「ページＮｏ．データ」、「連写数データ」、及び「連写Ｎｏ．データ」の値をそれぞれインクリメントしてＲＡＭ３４内に格納し直す。そして、前述の動作と同様に撮像した画像データを圧縮し、ＲＡＭ３４に格納し直された「ページＮｏ．データ」、「連写フラグ（＝１）」、「連写数データ」、及び「連写Ｎｏ．データ」と対応づけてフラッシュメモリ３１に格納する。
【００８８】
また、ＣＰＵ３６は、モード切換スイッチ１３がスライド操作されて再生モードが指定されると、後述する再生表示処理（図１０参照）を実行する。
【００８９】
この再生表示処理においてＣＰＵ３６は、「＋」キー１７ａ、あるいは「−」キー１７ｂの押圧操作に応じて、フラッシュメモリ３１に格納された画像データの中から、そのページＮｏ．順（「＋」キー１７ａが押圧操作された場合は昇順、「−」キー１７ｂが押圧操作された場合は降順）に再生表示する画像データを指定する。そして、指定された画像データをフラッシュメモリ３１から順次読み出して圧縮／伸長回路３０に転送し、伸長処理を行なわせた後、ＤＲＡＭ２９に格納する。
【００９０】
その後、ＣＰＵ３６は、ＤＲＡＭ２９に格納した画像データをシグナルジェネレータ２５に転送する。シグナルジェネレータ２５では、入力された画像データに同期信号を付加する等してビデオ信号（表示データ）を生成して、一旦、ＶＲＡＭ２６に格納し、その中から１画面分の画像データを読み出してＤ／Ａ変換器２７、及びアンプ２８を介して表示部１２に出力し、表示画面に画像を再生表示する。この再生表示の際、ＣＰＵ３６は、当該画像データが連写撮影された画像データであるか否かを判別し、連写撮影された画像データである場合（「連写フラグ」＝１）は、表示画像が連写画像であることを示す連写画像マーク'Ｃ'（Continuous）を表示画面に表示する。
【００９１】
また、後述する再生表示処理（図１０参照）の再生メニュー（図１１参照）において、連写画像再生が選択されると、後述する連写画像再生表示処理（図１２参照）を行い、ＣＰＵ３６は、同時に再生表示を行う連写画像の組数を示す前記「組数データ」に応じて、表示部１２の画面の表示領域の分割を行う。そして、分割された各表示領域に対して、対応する連写画像を上述したような再生処理と同様の処理によって再生表示し、前記ＲＡＭ３４内の連写画像再生条件メモリ３４ｂに格納された「表示時間間隔」の値に従った時間間隔分待機した後に次の連写画像を続けて再生表示することで、複数組の連写画像を比較しながら連続再生表示することができる。
【００９２】
更に、ＣＰＵ３６は、後述する再生表示処理（図１０参照）において、ユーザーの所定の操作によりコメント画像合成が指示されると、後述するコメント画像合成処理（図２４参照）を実行する。
【００９３】
このコメント画像合成処理においてＣＰＵ３６は、キー入力部３５のキー操作により合成対象として選択指定され、ＤＲＡＭ２９に格納された撮像した画像データに対して、プレート格納テーブル３４ｅから合成するプレートの画像データと、定型コメント文格納テーブル３４ｄから合成するコメント文データとがキー入力部３５のキー操作によって指定されると、これらの指定された画像データ、コメント文の画像データ、プレートの画像データについて、合成対象の画像に対するコメント画像の合成位置等の合成条件を設定可能に制御する。そして、設定された各種合成条件に基づいて、前記コメント文の画像データを前記プレートの画像データに重ねてコメント画像データを生成する。
【００９４】
Ｉ／Ｏ（Input / Output）ポート３７は、当該デジタルカメラ１とシリアル入出力端子１８ａ及び通信ケーブルを介して接続された外部機器との間で授受されるシリアルデータ（画像データ、制御データ等）の入出力制御を行なうインターフェースである。
【００９５】
赤外線通信部３８は、当該デジタルカメラ１と外部機器との間でＩｒＤＡ（Infrared Data Association ）方式の赤外線通信を行なうための赤外線インターフェースであり、赤外線通信より授受される画像データ、制御データ等の送受信制御を行なう。
【００９６】
具体的には、この赤外線通信部３８は、赤外線通信機能を有する外部機器に送信する送信データを一時的に格納する送信データメモリと、この送信データメモリに格納されたデータを赤外線信号に変調する変調部と、変調された赤外線信号を赤外線パルスにより赤外線窓１９を介して前記外部機器に送信する送信用ＬＥＤと、前記外部機器から赤外線パルスにより送信された赤外線信号を赤外線窓１９を介して受信するフォトダイオードと、この受信された赤外線信号を受信データとして復調する復調部と、復調された受信データを一時的に格納する受信データメモリと、により構成されている。
【００９７】
以上がデジタルカメラ１の構成である。
【００９８】
次に、動作を説明する。
【００９９】
まず、デジタルカメラ１の撮像処理について、図９に示すフローチャート、及び図６に示す撮像条件メモリ３４ｃの構成図に基づいて説明する。
【０１００】
ＣＰＵ３６では、モード切換スイッチ１３がスライド操作されて撮影モードが指定されると、フラッシュメモリ３１に格納されている各種撮像条件データを読み出して、ＲＡＭ３４内の撮像条件メモリ３４ｃに展開し、この各種撮像条件データに従って、例えば、シャッタスピード、絞り、連写撮影時の撮影時間間隔等の設定の他各種初期設定を行う（ステップＳ１）。
【０１０１】
次いで、ＣＰＵ３６は、フラッシュメモリ３１に格納されている、未使用の「ページＮｏ．データ」を読み出し、ＲＡＭ３４内の撮像条件メモリ３４ｃに、「開始ページＮｏ．データ」として格納する（ステップＳ２）。なお、前回の撮像モード終了時に、最後に画像データが格納された「ページＮｏ．データ」の値に１加えた値が、フラッシュメモリ３１の所定領域（不図示）に、「開始ページＮｏ．データ」用の値として格納されている。
【０１０２】
ＣＰＵ３６は、さらに、撮像条件メモリ３４ｃに初期設定として「連写フラグ」＝０、「連写数データ」＝１、「連写Ｎｏ．データ」＝１を格納する（ステップＳ３）。
【０１０３】
ステップＳ１〜ステップＳ３の各設定が終了すると、ＣＰＵ３６は、ファインダーとしての表示部１２の表示制御を行ない、表示部１２の表示画面に撮像レンズ１１を介して取り込んだ被写体の画像を表示する（ステップＳ４）。
【０１０４】
そして、ＣＰＵ３６は、シャッターキー１５が押圧操作されたか否かを判別し（ステップＳ５）、シャッターキー１５が押圧操作されていない場合は、引き続いてシャッターキー１５が押圧操作されたか否かの監視を行なう。また、ステップＳ５でＣＰＵ３６がシャッターキー１５が押圧操作されたと判別した場合、ＣＰＵ３６は１枚目の画像について撮像処理を実行する（ステップＳ６）。
【０１０５】
すなわち、ＣＰＵ３６は、タイミングジェネレータ２４に映像取り込み信号を出力し、タイミングジェネレータ２４では、前記映像取り込み信号に基づいてタイミング信号を生成して駆動回路２３に出力する。駆動回路２３では、前記タイミング信号に基づいてＣＣＤ２０の露光及び読み出しタイミングを駆動制御して、ＣＣＤ２０により撮像信号を取り込ませる。Ａ／Ｄ変換器２２では、前記取り込んだ撮像信号をアナログ信号からデジタル信号に変換し、シグナルジェネレータ２５では、前記撮像信号に対して色演算処理を行なって１枚目の撮像画像データを生成してＤＲＡＭ２９に格納する。
【０１０６】
その後、ＣＰＵ３６は、ＤＲＡＭ２９に格納された前記撮像画像データを圧縮／伸長回路３０に転送して圧縮処理を行なわせた後（ステップＳ７）、この圧縮された画像データをＲＡＭ３４内の撮像条件メモリ３４ｃに格納されている「ページＮｏ．データ」、「連写フラグ」、「連写数データ」、及び「連写Ｎｏ．データ」と対応付けてフラッシュメモリ３１に格納する（ステップＳ８）。１枚目の画像撮像時においては、ステップＳ２及びステップＳ３において設定された値（「ページＮｏ．データ」＝「開始ページＮｏ．データ」、「連写フラグ」＝０、「連写数データ」＝１、「連写Ｎｏ．データ」＝１）が、１枚目の画像データと対応づけられてフラッシュメモリ３１に格納されることとなる。
【０１０７】
続いて、ステップＳ１の初期設定において撮像条件データに従って設定された連写撮影時の撮影時間間隔の時間分待機し（ステップＳ９）、その後、ＣＰＵ３６は、シャッターキー１５が引き続いて押圧状態にあるか否かを判別する（ステップＳ１０）。
【０１０８】
ステップＳ１０において、シャッターキー１５が押圧状態であると判別されたときは、連写撮影がなされているとして、ＲＡＭ３４内の撮像条件メモリ３４ｃに格納された「連写フラグ」を"１"とし、また、ＲＡＭ３４内の「ページＮｏ．データ」、「連写数データ」、「連写Ｎｏ．データ」の値をそれぞれインクリメントし（ステップＳ１１）、ステップＳ６の撮像処理に移行する。すなわち、１枚目の画像に続いて２枚目の画像を連写撮影する際には、「ページＮｏ．データ」は１枚目の「ページＮｏ．データ」に続く番号となり、「連写数データ」、「連写Ｎｏ．データ」はともに"２"となる。
【０１０９】
２枚目の画像を連写撮影するために、ＣＰＵ３６は、ステップＳ６、Ｓ７において、上述したような処理を行い、ステップＳ８において、圧縮された２枚目の画像データを、ステップＳ１１において得られた「ページＮｏ．データ」、「連写フラグ」、「連写数データ」、及び「連写Ｎｏ．データ」と対応付けてフラッシュメモリ３１に格納する。ここで、２枚目の画像撮像時においては、ステップＳ１１において設定された値（「ページＮｏ．データ」＝「開始ページＮｏ．データ」＋１、「連写フラグ」＝１、「連写数データ」＝２、「連写Ｎｏ．データ」＝２）がフラッシュメモリ３１に格納されることとなる。
【０１１０】
以後同様に、ステップＳ９で連写撮影時の撮影時間間隔の時間分経過した後、ステップＳ１０においてＣＰＵ３６によりシャッターキー１５が押圧状態でないと判別されるまで、上述したような処理が行われ、３（４、５・・・）枚目の画像が順次撮影されることになる。
【０１１１】
ステップＳ１０において、ＣＰＵ３６によりシャッターキー１５が押圧状態でないと判別されたときは、一連の撮影が終了したとして、ＣＰＵ３６は、ＲＡＭ３４内の撮像条件メモリ３４ｃに、その時点での「ページＮｏ．データ」を「終了ページＮｏ．データ」として格納する（ステップＳ１２）。
【０１１２】
次いで、ＣＰＵ３６は、連写撮影が行われたか、通常撮影が行われたかを判別する（ステップＳ１３）。ここで、ステップＳ１３におけるＣＰＵ３６の判別処理は、ＲＡＭ３４内の撮像条件メモリ３４ｃに格納された「開始ページＮｏ．データ」と「終了ページＮｏ．データ」を比較することにより行われ、「開始ページＮｏ．データ」≠「終了ページＮｏ．データ」であれば連写撮影が行われたと、「開始ページＮｏ．データ」＝「終了ページＮｏ．データ」であれば通常撮影が行われたと判定する。
【０１１３】
なお、ステップ１３におけるＣＰＵ３６の判定処理として、ＲＡＭ３４内の撮像条件メモリ３４ｃに格納された「連写フラグ」を利用し、「連写フラグ」＝１であれば連写撮影が行われたと、「連写フラグ」＝０であれば連写撮影が行われずに通常撮影が行われたと判定するようにしてもよい。
【０１１４】
ステップＳ１３において、ＣＰＵ３６により連写撮影が行われたと判別されると、ＣＰＵ３６は、Ｎ＝「終了ページＮｏ．データ」−「開始ページＮｏ．データ」＋１の演算を実行することによって何枚の画像を連写撮影したかを算出する。そして、「開始ページＮｏ．データ」と「終了ページＮｏ．データ」の間の値の「ページＮｏ．データ」（「開始ページＮｏ．データ」と「終了ページＮｏ．データ」を含む）と対応づけられて、フラッシュメモリ３１に格納された全ての画像データに対する「連写フラグ」を"１"として格納し直し、また、「連写数データ」を前述の上記演算を実行することにより算出された値"Ｎ"として格納し直す（ステップＳ１４）。
【０１１５】
すなわち、一連の連写撮影によって撮像された画像データに関する「連写フラグ」、「連写数データ」をそれぞれ適切な値に修正して格納し直すという処理を行う。
【０１１６】
なお、上記ステップＳ１４では、Ｎ＝「終了ページＮｏ．データ」−「開始ページＮｏ．データ」＋１の演算を実行することにより、連写撮影された画像の枚数を求めているが、ＲＡＭ３４内の撮像条件メモリ３４ｃに格納された「連写数データ」を利用するようにしてもよい。この場合には、ＣＰＵ３６による演算回数の軽減を図ることができる。
【０１１７】
例えば、「ページＮｏ．データ」＝７を「開始ページＮｏ．データ」として連写撮影を開始し、連写撮影が終了した時点での「ページＮｏ．データ」が"１０"である場合には、ステップＳ１２においてＲＡＭ３４内の撮像条件メモリ３４ｃに「終了ページＮｏ．データ」＝１０が格納される。そして、ステップＳ１４において、ＣＰＵ３６は、Ｎ＝「終了ページＮｏ．データ」−「開始ページＮｏ．データ」＋１＝１０−７＋１＝４の演算を実行することによって、一連の連写撮影で撮像された画像データが４枚であると算出して、「連写数データ」＝４、及び「連写フラグ」＝１をフラッシュメモリ３１内の「ページＮｏ．データ」＝７，８，９，１０のそれぞれのデータに対応して格納して保存する。
【０１１８】
この結果、フラッシュメモリ３１には、「ページＮｏ．データ」＝７、「連写フラグ」＝１、「連写数データ」＝４、「連写データＮｏ．データ」＝１、「画像データ」＝"１枚目の画像データ"が対応づけて格納され、「ページＮｏ．データ」＝８、「連写フラグ」＝１、「連写数データ」＝４、「連写データＮｏ．データ」＝２、「画像データ」＝"２枚目の画像データ"が対応づけて格納される。さらに、「ページＮｏ．データ」＝９、「連写フラグ」＝１、「連写数データ」＝４、「連写データＮｏ．データ」＝３、「画像データ」＝"３枚目の画像データ"が対応づけて格納され、「ページＮｏ．データ」＝１０、「連写フラグ」＝１、「連写数データ」＝４、「連写データＮｏ．データ」＝４、「画像データ」＝"４枚目の画像データ"が対応づけて格納されることになる。
【０１１９】
一方、ステップＳ１３において、ＣＰＵ３６により通常撮影が行われたと判別した場合、ステップＳ１５の処理に移行する。
【０１２０】
この場合、フラッシュメモリ３１には、「ページＮｏ.データ」＝「開始ページＮｏ．データ」、「連写フラグ」＝０、「連写数データ」＝１、「連写Ｎｏ．データ」＝１、「画像データ」＝"通常撮影された画像のデータ"が対応づけて格納されることになる。
【０１２１】
ステップＳ１３、あるいはステップＳ１４の処理が終了すると、ＣＰＵ３６は、モード切換スイッチ１３がスライド操作されたか否かを判別し（ステップＳ１５）、スライド操作されていなければステップＳ２に戻り、例えば、連写撮影が終了した時点での「ページＮｏ．データ」が"１０"である場合は、新たな「ページＮｏ．データ」＝１１をＲＡＭ３４内の撮像条件メモリ３４ｃに「開始ページＮｏ．データ」として格納し、以後同様に撮像処理を続行する。
【０１２２】
ステップＳ１５において、モード切換スイッチ１３がスライド操作されていれば、撮影モードを終了し、他のモード（再生モード、通信モード）に移行する。
【０１２３】
なお、撮像モードを終了する際には、ステップＳ１２でＲＡＭ３４内に格納された「終了ページＮｏ．データ」の値をインクリメントし、インクリメントされて得られた値を、フラッシュメモリ３１の所定の格納領域に格納する処理を行う。この格納された値は、次に撮像を開始する際のステップＳ２で利用される「開始ページＮｏ．データ」として用いられる。
【０１２４】
以上がデジタルカメラ１により実行される撮像処理の動作手順である。
【０１２５】
上記説明した撮像処理により、連写画像を得ることができる。
【０１２６】
次に、デジタルカメラ１の再生表示処理について、図１０に示すフローチャート、及び図１１に示す画面表示例に基づいて説明する。
【０１２７】
ＣＰＵ３６では、モード切換スイッチ１３がスライド操作されて再生モードが指定されると、ＲＯＭ３３に格納されている再生表示処理に関するプログラムを読み出して、その処理を開始する。
【０１２８】
まず、ＣＰＵ３６は、イニシャライズ等の初期処理を行ない（ステップＳ２０）、その後、最後に再生表示されていた画像データの「ページＮｏ．データ」をフラッシュメモリ３１から読み出して取得し（ステップＳ２１）、該取得した「ページＮｏ．データ」に対応づけられてフラッシュメモリ３１内に格納された画像データの「連写フラグ」が"０"であるか"１"であるかを判別する（ステップＳ２２）。すなわち、当該画像データが、通常撮影により得られた画像データか、あるいは、連写撮影により得られた連写画像のうちの１枚の画像データであるか、否かを判別する。
【０１２９】
ステップＳ２２において、「連写フラグ」＝０であると判別されたときには、前記取得した「ページＮｏ．データ」に対応づけられた画像データは通常の撮像画像データであると判断して該画像データの再生表示を行う。すなわち、該画像データをフラッシュメモリ３１から読み出し、圧縮／伸長回路３０で伸長処理を行なわせてＤＲＡＭ２９に格納した後、シグナルジェネレータ２５により同期信号を付加する等してビデオ信号に変換させて、ＶＲＡＭ２６、Ｄ／Ａ変換器２７及びアンプ２８を介して表示部１２に出力させ、前記画像データを表示画面に再生表示させる（ステップＳ２３）。
【０１３０】
ステップＳ２２において、「連写フラグ」＝１であると判別されたときには、前記取得した「ページＮｏ．データ」に対応づけられた画像データを連写撮影により得られた連写画像を構成する複数の画像データのうちの１枚であると判断して該画像データの再生表示を行う。すなわち、前述したステップＳ２３の処理と同様に、前記画像データを表示画面に再生表示させるとともに、表示画面の右上隅に、当該表示画像が連写画像であることを示す連写画像マーク'Ｃ'を表示する（ステップＳ２４）。
【０１３１】
このような表示状態の一例を図１１（ａ）に示す。図１１（ａ）では、連写画像の内の１枚であることを示すマーク'Ｃ'を右上に表示し、また、左上には該画像データの「ページＮｏ．データ」の値を表示している。なお、上記連写画像マーク'Ｃ'の代わりに、表示画像が連写画像であることを示すメッセージ（例えば、"連写"等）を表示画面に表示する制御構成であってもよい。
【０１３２】
また、画像データの「連写数データ」の値、及び「連写Ｎｏ．データ」の値を表示画面に表示する制御構成であってもよい。この場合には、連写画像が何枚の画像データからなるのか、また、連写画像のうち何枚目の画像データが表示されているのかを容易に把握することができる。
【０１３３】
ステップＳ２３、あるいはステップＳ２４の表示処理により画像が表示されると、ＣＰＵ３６は、メニューキー１６、「＋」キー１７ａ、あるいは「−」キー１７ｂのいずれかが押圧操作されたか否かを監視し（ステップＳ２５）、「＋」キー１７ａ、あるいは「−」キー１７ｂが押圧操作された場合には、押圧操作されたキーに応じて、「＋」キー１７ａが押圧操作された場合は、「ページＮｏ．データ」の値をインクリメントし、また、「−」キー１７ｂが押圧操作された場合は、「ページＮｏ．データ」の値をデクリメントし（ステップＳ２６）、ステップＳ２２に戻る。
【０１３４】
例えば、表示部１２に再生表示されている画像データの「ページＮｏ．データ」が"５"である場合は、「＋」キー１７ａが押圧操作された際には、この「ページＮｏ．データ」の値をインクリメント（＋１）して、「ページＮｏ．データ」が"６"の画像データについて、その「連写フラグ」の値をフラッシュメモリ３１から読み出し、また、「−」キー１７ｂが押圧操作された際には、この「ページＮｏ．データ」の値をデクリメント（−１）して、「ページＮｏ．データ」が"４"の画像データについて、その「連写フラグ」の値をフラッシュメモリ３１から読み出す。以後のステップＳ２３、あるいはステップＳ２４における処理は前述の通りである。
【０１３５】
ステップＳ２５において、メニューキー１６が押圧操作された場合には、ＣＰＵ３６は、図１１（ｂ）に示すような再生メニュー画面を表示部１２に表示する（ステップＳ２７）。
【０１３６】
図１１（ｂ）において、再生メニュー画面は、［ズーム］，［分割］，［連写］等の複数の再生メニューが図に示すような文字表示、あるいは、例えばアイコン表示などのユーザーに分かりやすい表示形態で表示される。複数の再生メニューの内、選択されているメニューは、反転表示されるなどして選択中であることをユーザーに対して視覚的に示す。図１１（ｂ）では、［連写］が反転表示され、選択中であることを示している。
【０１３７】
また、［ＳＥＬＥＣＴ→＋／−］の表示により、［ズーム］，［分割］，［連写］の内のひとつのメニューの選択を「＋」キー１７ａ、あるいは「−」キー１７ｂによって行うことを示し、［ＹＥＳ→ＳＨＵＴＴＥＲ］の表示により、選択中の再生メニューの決定をシャッターキー１５によって行うことを示し、［ＥＸＩＴ→ＭＥＮＵ］の表示により、再生メニュー画面を終了して画像再生表示画面に戻る操作をメニューキー１６によって行うことを示す。
【０１３８】
ステップＳ２７において、この図１１（ｂ）に示すような再生メニュー画面が表示されると、ＣＰＵ３６は、シャッターキー１５、メニューキー１６、「＋」キー１７ａ、あるいは「−」キー１７ｂのいずれかが押圧操作されたか否かを監視する（ステップＳ２８）。
【０１３９】
ステップＳ２８において、「＋」キー１７ａ、あるいは「−」キー１７ｂが押圧操作された場合には、押圧操作されたキーに応じて、「＋」キー１７ａが押圧操作された場合は、複数の再生メニューの内選択されていることを示す反転表示をひとつ右に移動して選択項目を変更し、また、「−」キー１７ｂが押圧操作された場合は、反転表示をひとつ左に移動して選択項目を変更し（ステップＳ２９）、その後ステップＳ２８に戻り、再びシャッターキー１５、メニューキー１６、「＋」キー１７ａ、あるいは「−」キー１７ｂのいずれかが押圧操作されたか否かを監視する。
【０１４０】
ステップＳ２８において、メニューキー１６が押圧操作された場合には、再生メニュー画面を終了し、ステップＳ２２に戻り、「連写フラグ」の値に応じた画像再生表示画面（ステップＳ２３、あるいはステップＳ２４）に移行する。
【０１４１】
ステップＳ２８において、シャッターキー１５が押圧操作された場合には、ＣＰＵ３６は、この押圧操作時に選択されていた再生メニューが［ズーム］，［分割］，［連写］等の内のいずれであるかを判別し（ステップＳ３０）、［連写］でない場合は、選択された再生メニューに応じたそれぞれの処理を行う（ステップＳ３１）。
【０１４２】
ステップＳ３１における処理が終了すると、ＣＰＵ３６は、モード切換スイッチ１３がスライド操作されたか否かを判別し（ステップＳ３２）、スライド操作されていなければステップＳ２２に戻り、「連写フラグ」の値に応じた画像再生表示画面（ステップＳ２３、あるいはステップＳ２４）に移行し、モード切換スイッチ１３がスライド操作されていれば、再生モードを終了し、前記モード切換スイッチ１３のスライド操作に応じた他のモード（撮影モード、通信モード）に移行する。
【０１４３】
ステップＳ３０において、前記シャッターキー１５の押圧操作時に選択されていた再生メニューが［連写］である場合は、後述する連写画像再生表示処理（図１２参照）を行う（ステップＳ３３）。
【０１４４】
そして、ステップＳ３３における連写画像再生表示処理が終了すると、ＣＰＵ３６は、モード切換スイッチ１３がスライド操作されたか否かを判別し（ステップＳ３４）、スライド操作されていなければステップＳ２２に戻り、「連写フラグ」の値に応じた画像再生表示画面（ステップＳ２３、あるいはステップＳ２４）に移行し、モード切換スイッチ１３がスライド操作されていれば、再生モードを終了し、前記モード切換スイッチ１３のスライド操作に応じた他のモード（撮影モード、通信モード）に移行する。
【０１４５】
なお、再生モード終了時に、ＣＰＵ３６は最後に再生表示されていた画像データの「ページＮｏ．データ」をフラッシュメモリ３１の所定の領域（不図示）に格納する処理を行う。この格納された値が、次に再生処理を行う際にステップＳ２１で取得される「ページＮｏ．データ」として用いられる。
【０１４６】
次に、前記図１０のステップＳ３３において実行されるデジタルカメラ１の連写画像再生表示処理について、図１２に示すフローチャート、図５に示す連写画像再生条件メモリ３４ｂに値を格納した例を示す構成図、及び図１３〜図１５に示す画面表示例に基づいて説明する。
【０１４７】
ＣＰＵ３６では、前記図１０のステップＳ３０において再生メニュー決定時に選択されていた再生メニューが［連写］であると判別されると、ＲＯＭ３３に格納されている連写画像再生表示処理に関するプログラムを読み出して、その処理を開始する。
【０１４８】
まず、ＣＰＵ３６は、ＲＡＭ３４内の連写画像再生条件メモリ３４ｂに格納する「連続再生画像データ情報」の内、「組番号データ」を"１"として第１組目の連写画像を選択するための初期処理を行い（ステップＳ４０）、次いで、図１３（ａ）に示すような連写画像選択メニュー画面を表示部１２に表示する（ステップＳ４１）。
【０１４９】
図１３（ａ）において、連写画像選択メニュー画面は、ステップＳ４０において初期設定された「組番号データ」＝１をＲＡＭ３４内の連写画像再生条件メモリ３４ｂから読み出して、１組目の連写画像を選択中であることを示す"１"を画面上部に表示し、その下部、画面のほぼ中央に、連写画像の内の１枚を表示する。すなわち、その時点での「ページＮｏ．データ」に対応する画像データの「連写フラグ」が"１"（連写画像）であれば、該「ページＮｏ．データ」に対応する画像データを再生表示し、該「ページＮｏ．データ」に対応する画像データの「連写フラグ」が"０"（連写画像でない）であれば、画像データは表示されない。
【０１５０】
なお、表示中の画像データの「連写数データ」の値、及び「連写Ｎｏ．データ」の値を表示画面に表示する制御構成であってもよい。この場合には、連写画像が何枚の画像データからなるのか、また、連写画像のうち何枚目の画像データが表示されているのかを把握することが可能となり、連写画像を選択する利便性の向上が図られる。
【０１５１】
また、［ＳＥＬＥＣＴ→＋／−］の表示により、別の連写画像の選択を「＋」キー１７ａ、あるいは「−」キー１７ｂによって行うことを示し、［ＹＥＳ→ＳＨＵＴＴＥＲ］の表示により、連写画像の決定をシャッターキー１５によって行うことを示す。
【０１５２】
ステップＳ４１において、この図１３（ａ）に示すような連写画像選択メニュー画面が表示されると、次いでＣＰＵ３６は、シャッターキー１５、メニューキー１６、「＋」キー１７ａ、あるいは「−」キー１７ｂのいずれかが押圧操作されたか否かを監視する（ステップＳ４２）。
【０１５３】
ステップＳ４２において、「＋」キー１７ａ、あるいは「−」キー１７ｂが押圧操作された場合には、ＣＰＵ３６は、押圧操作されたキーに応じて、「＋」キー１７ａが押圧操作された場合は、「ページＮｏ．データ」の値をインクリメントし、また、「−」キー１７ｂが押圧操作された場合は、「ページＮｏ．データ」の値をデクリメントする（ステップＳ４３）。
【０１５４】
そして、ＣＰＵ３６は、ステップＳ４３においてインクリメント、あるいはデクリメントされた新たな「ページＮｏ．データ」に対応する画像データの「連写フラグ」が"０"であるか"１"であるかを判別する（ステップＳ４４）。
【０１５５】
ステップＳ４４において、「連写フラグ」＝０の場合には、前記新たな「ページＮｏ．データ」に対応する画像データは連写画像ではないとして、再びステップＳ４３に戻って、前述のステップＳ４２における操作が「＋」キー１７ａによる操作であれば更に「ページＮｏ．データ」をインクリメントし、先のステップＳ４２における操作が「−」キー１７ｂによる操作であれば更に「ページＮｏ．データ」をデクリメントし、同様の操作を繰り返す。
【０１５６】
このような操作の中で、ステップＳ４４において、「連写フラグ」＝１となった場合には、新たな「ページＮｏ．データ」に対応する画像データは連写画像であるとして、ステップＳ４１に戻り、図１３（ａ）のような連写画像選択メニュー画面のほぼ中央部に前記新たな「ページＮｏ．データ」に対応する連写画像データを表示する。
【０１５７】
ステップＳ４２において、メニューキー１６が押圧操作された場合には、連写画像選択メニュー画面を終了し、前記図１０における画像再生表示画面に戻り、ステップＳ２２において、ＣＰＵ３６は、「ページＮｏ．データ」に対応づけられてフラッシュメモリ３１内に格納された画像データの「連写フラグ」が"０"であるか"１"であるかを判別し、その判別結果に従ってステップＳ２３、あるいはステップＳ２４の処理を行う。
【０１５８】
ステップＳ４２において、シャッターキー１５が押圧操作された場合には、ＣＰＵ３６は、この押圧操作時に選択されていた連写画像データに対応する「ページＮｏ．データ」を「連続再生画像データ情報」の「先頭画像ページＮｏ．データ」としてＲＡＭ３４内の連写画像再生条件メモリ３４ｂに格納するとともに、該選択された連写画像データに対応する「連写数データ」及び「連写Ｎｏ．データ」をフラッシュメモリ３１から読み出し、「連写数データ」−「連写Ｎｏ．データ」＋１の演算を実行することによって選択された連写画像データ以降の残りの連写画像枚数を算出する。これを「連続再生画像データ情報」の「連続数」としてＲＡＭ３４内の連写画像再生条件メモリ３４ｂに格納する（ステップＳ４５）。
【０１５９】
図５（ｂ）に示す例では、「組番号データ」＝１に対応付けられた連写画像データの「先頭画像ページＮｏ．データ」が"７"であり上記演算によって算出された「連続数」が"４"であるから、連続再生される画像データの１組目として、「ページＮｏ．データ」＝７，８，９，１０に対応する画像データが登録されたこととなる。
【０１６０】
次いで、ＣＰＵ３６は、シャッターキー１５、メニューキー１６、あるいは「＋」キー１７ａのいずれかが押圧操作されたか否かを監視する（ステップＳ４６）。
【０１６１】
ステップＳ４６において、「＋」キー１７ａが押圧操作された場合には、ＣＰＵ３６は、「組番号データ」の値をインクリメントする（ステップＳ４８）。そして、ステップＳ４１に戻り、ステップＳ４８においてインクリメントされた新たな「組番号データ」を画面上部に表示し、以後前述の操作と同様に順次各「組番号データ」に対応する連写画像を選択する。
【０１６２】
例えば、１組目の連写画像データ決定後、「＋」キー１７ａが押圧操作された場合には、「組番号データ」＝２を図１３（ｂ）のように表示する。
【０１６３】
ステップＳ４６において、メニューキー１６が押圧操作された場合には、ステップＳ４５において決定した連写画像を解除する（ステップＳ４７）。すなわち、図５（ｂ）に示す「連続再生画像データ情報」に格納された「先頭画像ページＮｏ．データ」、及び「連続数」を消去する。そして、ステップＳ４１に戻り、連写画像選択メニュー画面を表示し、以後前述の操作と同様に再び各「組番号データ」に対応する連写画像の組を選択する。
【０１６４】
ステップＳ４６において、シャッターキー１５が押圧操作された場合には、ＣＰＵ３６は、それまでの一連の連写画像選択操作が終了したとして、ＲＡＭ３４内の連写画像再生条件メモリ３４ｂに登録された「組番号データ」の中の最大の番号"Ｍ"を求め、「組数データ」としてＲＡＭ３４内の連写画像再生条件メモリ３４ｂに格納し、また、「連続数」の値の中の最大の値"Ｌ"を求め、「最大連続数」として、ＲＡＭ３４内の連写画像再生条件メモリ３４ｂに格納する（ステップＳ４９）。
【０１６５】
図５（ｂ）に示す例では、「組番号データ」の最大の番号は"２"であるので、図５（ａ）の連写画像再生条件メモリ３４ｂに格納された「組数データ」は"２"となり、図５（ｂ）の「連続数」はともに"４"であるためその最大値も"４"であり、図５（ａ）の連写画像再生条件メモリ３４ｂに格納された「最大連続数」は"４"となる。
【０１６６】
次いで、ＣＰＵ３６は、図１４に示すような表示時間間隔設定メニュー画面を表示部１２に表示する（ステップＳ５０）。
【０１６７】
図１４において、表示時間間隔設定メニュー画面は、最上部に表示時間間隔設定メニュー画面であることを示す［ＴＩＭＥ］を表示し、その下部、画面のほぼ中央に、表示時間間隔を示す数字（図１４では２桁）と秒を表す［Ｓｅｃ］を表示している。また、［ＳＥＬＥＣＴ→＋／−］の表示により、表示時間間隔を示す数字の増減を「＋」キー１７ａ、あるいは「−」キー１７ｂによって行うことを示し、［ＹＥＳ→ＳＨＵＴＴＥＲ］の表示により、表示時間間隔の決定をシャッターキー１５によって行うことを示し、［ＥＸＩＴ→ＭＥＮＵ］の表示により、表示時間間隔設定メニュー画面を終了して、連写画像選択メニュー画面に戻る操作をメニューキー１６によって行うことを示す。
【０１６８】
また、図１４では"０２"の２桁の数字となっている部分を"＊＊"の表示にすることで初期設定としての連写撮影時の撮影時間間隔と同じ時間間隔を設定することを示し、"００"の表示にすることで時間間隔を設定しない手動再生（「＋」キー１７ａ、あるいは「−」キー１７ｂによってコマ送りをする）を設定することを示す等、所定時間間隔以外の設定を行うこともできる。
【０１６９】
ステップＳ５０において、この図１４に示すような表示時間間隔設定メニュー画面が表示されると、ＣＰＵ３６は、シャッターキー１５、メニューキー１６、「＋」キー１７ａ、あるいは「−」キー１７ｂのいずれかが押圧操作されたか否かを監視する（ステップＳ５１）。
【０１７０】
ステップＳ５１において、「＋」キー１７ａ、あるいは「−」キー１７ｂが押圧操作された場合には、ＣＰＵ３６は、押圧操作されたキーに応じて、「＋」キー１７ａが押圧操作された場合は、ＲＡＭ３４内の連写画像再生条件メモリ３４ｂに格納される「表示時間間隔」の値をインクリメントし、また、「−」キー１７ｂが押圧操作された場合は、「表示時間間隔」の値をデクリメントする（ステップＳ５２）。
【０１７１】
そして、再びステップＳ５１に戻り、ＣＰＵ３６は、シャッターキー１５、メニューキー１６、「＋」キー１７ａ、あるいは「−」キー１７ｂのいずれかが押圧操作されたか否かを監視する。
【０１７２】
ステップＳ５１において、メニューキー１６が押圧操作された場合には、表示時間間隔設定メニュー画面を終了し、ステップＳ４１の連写画像選択メニュー画面に戻る。
【０１７３】
ステップＳ５１において、シャッターキー１５が押圧操作された場合には、ＣＰＵ３６は、この押圧操作時の「表示時間間隔」の値（画面に表示されている時間と同一）をＲＡＭ３４内の連写画像再生条件メモリ３４ｂに格納するとともに、連続再生のコマ送り回数を示す値をＫ＝１とする（ステップＳ５３）。
【０１７４】
次いで、ＣＰＵ３６は、ステップＳ４９で求められ、ＲＡＭ３４内の連写画像再生条件メモリ３４ｂに格納された「組数データ」を読み出し、該「組数データ」の値に応じた表示部１２の画面の表示領域の分割を行う（ステップＳ５４）。
【０１７５】
更に、このステップＳ５４において分割された各表示領域に対して、図５（ｂ）に示す「連続再生画像データ情報」の各「組番号データ」に対応するＫ枚目（ステップＳ５４から移行してきた場合には１枚目）の画像を再生表示する（ステップＳ５５）。例えば、図５（ｂ）に示すような情報が「連続再生画像データ情報」に格納されている場合には、「組番号データ」＝１に対応する１枚目の画像データとして「ページＮｏ．データ」＝７の画像データが、「組番号データ」＝２に対応する１枚目の画像データとして「ページＮｏ．データ」＝１３の画像データがそれぞれ読み出されて、ＤＲＡＭ２９において１画面分の画像データとして合成され、表示部１２に同時に再生表示する連写画像の１コマ目として表示される。このような再生表示の状態の例を図１５（ａ）に示す。
【０１７６】
この図１５（ａ）〜図１５（ｄ）において、連写画像再生表示画面は、最上部に連写画像再生表示画面であることを示す［ＣＯＮＴＩＮＵＯＵＳ］を表示し、その下部、画面のほぼ中央に、左右の２分割表示で連写画像を表示している。また、［ＣＯＭＥＮＴ→ＳＨＵＴＴＥＲ］の表示により、後述するコメント画像合成処理（図２４参照）への移行をシャッターキー１５によって行うことを示す。
【０１７７】
次いでＣＰＵ３６は、ＲＡＭ３４内の連写画像再生条件メモリ３４ｂに格納された「表示時間間隔」が"００"（手動再生）であるか否かを判別する（ステップＳ５６）。
【０１７８】
ステップＳ５６において、「表示時間間隔」が"００"であると判別された場合には、ＣＰＵ３６は、シャッターキー１５、「＋」キー１７ａ、あるいは「−」キー１７ｂのいずれかが押圧操作されたか否かを監視し（ステップＳ５７）、シャッターキー１５が押圧操作された場合には後述するコメント画像合成処理（図２４参照）を行い（ステップＳ６０）、該コメント画像合成処理が終了すると再びステップＳ５７に戻る。
【０１７９】
ステップＳ５６において、「表示時間間隔」が"００"でないと判別された場合、続いて「表示時間間隔」の値に従った所定の時間が経過したか否かを判別し（ステップＳ５８）、ステップＳ５８で所定の時間が経過したと判別された場合、またはステップＳ５７において「＋」キー１７ａが押圧操作された場合には、Ｋの値をインクリメントし、また、ステップＳ５７において「−」キー１７ｂが押圧操作された場合には、Ｋの値をデクリメントする（ステップＳ５９）。
【０１８０】
すなわち、ステップＳ５８からステップＳ５９へと移行した場合には、「表示時間間隔」の値に従った所定の時間分待機した後、次の画像を表示するために、自動的にＫの値をインクリメントし、ステップＳ５７からステップＳ５９へと移行した場合には、手動再生であるので、「＋」キー１７ａが押圧操作された場合には１コマ送りを行うためにＫの値をインクリメントし、「−」キー１７ｂが押圧操作された場合には１コマ戻しを行うためにＫの値をデクリメントする。
【０１８１】
次いでＣＰＵ３６は、ステップＳ５９においてインクリメント、あるいはデクリメントされたＫの値がＲＡＭ３４内の連写画像再生条件メモリ３４ｂに格納された「最大連続数」の値"Ｌ"以下であるか否かを判別し（ステップＳ６０）、Ｋ≦ＬであればステップＳ５５に戻り次の連写画像の再生表示処理を続行し、そうでなければステップＳ５０に戻り表示時間間隔設定メニュー画面を表示する。
【０１８２】
すなわち、ステップＳ６０において、Ｋ≦Ｌであれば次の連写画像が存在すると判断して連写画像再生表示を続行し、そうでなければ連写画像の最後の画像を表示し終えたとして一連の連写画像再生表示処理を終了して表示時間間隔設定メニューに戻る。
【０１８３】
図５（ｂ）に示す連写画像再生条件メモリ３４ｂのデータ格納例に基づく図１５（ａ）〜図１５（ｄ）に示す連写画像再生表示の例では、連写画像再生条件メモリ３４ｂ内の「連続再生画像データ情報」として格納された「組番号データ」＝１，２のそれぞれに対応する「連続数」はともに"４"であるから、連写画像再生表示のコマ送り数も図１５（ａ）〜図１５（ｄ）の４つとなっている。
【０１８４】
前述したように、図１５（ａ）の左画面に表示された画像は、図５（ｂ）に示す「連続再生画像データ情報」の「組番号データ」＝１に対応する「先頭画像データ」である「ページＮｏ．データ」＝７の画像データに対応する画像であり、右画面に表示された画像は、「組番号データ」＝２に対応する「先頭画像データ」である「ページＮｏ．データ」＝１３の画像データに対応する画像である。
【０１８５】
同様に、図１５（ｂ）の左右の画面はそれぞれ、「ページＮｏ．データ」＝８，１４の画像データに対応する画像、図１５（ｃ）の左右の画面はそれぞれ、「ページＮｏ．データ」＝９，１５の画像データに対応する画像、図１５（ｄ）の左右の画面はそれぞれ、「ページＮｏ．データ」＝１０，１６の画像データに対応する画像である。
【０１８６】
特に図１５（ｃ）には"ナイスショット"のコメント画像が合成表示され、ゴルフのスイングのショットの瞬間が分かりやすくなるようにされているが、これは後述するコメント画像合成処理（図１６参照）によるものである。
【０１８７】
上記処理によれば、所望の画像データから再生を開始することが可能となるとともに、複数の連写画像が同時に順次再生されるため連写画像を構成する複数の画像データの相互比較を容易にかつ迅速に行うことができる。
【０１８８】
なお、ステップＳ４０〜ステップＳ４７において、連写画像を選定し、連写画像の再生を開始する画像データを選定する場合、デジタルカメラ１の表示部１２の表示領域を複数に分割して、分割領域のそれぞれに一つの連写画像を表示して、連写画像の選定と、連写画像の再生を開始する画像データを決定するようにしてもよい。
【０１８９】
この場合、ゴルフのスイングに関する２つの連写画像を相互比較する場合、ゴルフのスイングが開始される画像データが、一の連写画像では当該連写画像データを構成する複数の画像データのうちの１つ目の画像データであり、他の連写画像では当該連写画像を構成する複数の画像データのうちの３つ目の画像データであるときでも、再生を開始する画像を一の連写画像では１つ目の画像データに、他の連写画像では３つ目の画像データに、容易に設定することが可能となり、実用性の高い画像再生装置となる。
【０１９０】
なお、上記連写画像再生表示処理では、連写画像のみを選択する構成としているが、通常撮影により撮影された画像データも選択することのできる制御構成としてもよい。
【０１９１】
なお、上記連写画像再生表示処理（図１２参照）におけるステップＳ５４〜ステップＳ６１の処理に代えて図１６に示すような処理（変形例１）とすることも可能である。
【０１９２】
つまり、ステップＳ５３でＫ＝１とした後、組画像データ「１」のＫ枚目の画像を図１７に示すようにデジタルカメラ１の表示部１２に再生表示すると同時に（ステップＳＡ１）、組番号データ「２」のＫ枚目の画像をデジタルカメラ１にケーブルを介して接続されている（無線接続でもよい）外部機器２（例えば、図１７に示すテレビジョン受像器）に再生表示する（ステップＳＡ２）。
【０１９３】
次いで、ＣＰＵ３６は、ＲＡＭ３４内の連写画像再生条件メモリ３４ｂに格納された「表示時間間隔」が"００"であるか否かを判別する（ステップＳＡ３）。
【０１９４】
ステップＳＡ３において、「表示時間間隔」が"００"であると判別された場合には、ＣＰＵ３６は、「＋」キー１７ａ、あるいは「−」キー１７ｂが押圧操作されたか否かを監視する（ステップＳＡ４）。
【０１９５】
ステップＳＡ３において、「表示時間間隔」が"００"でないと判別された場合、ＣＰＵ３６は、続いて「所定時間間隔」の値に従った所定の時間が経過したか否かを判別し（ステップＳＡ５）、ステップＳＡ５においてＣＰＵ３６により所定の時間が経過したと判別された場合、またはステップＳＡ４において「＋」キー１７ａが押圧操作された場合には、Ｋの値をインクリメントし、また、ステップＳＡ４において「−」キー１７ｂが押圧操作された場合には、Ｋの値をデクリメントする（ステップＳＡ６）。
【０１９６】
次いでＣＰＵ３６は、ステップＳＡ６においてインクリメント、あるいはデクリメントされたＫの値がＲＡＭ３４内の連写画像再生条件メモリ３４ｂに格納された「最大連続数」の値"Ｌ"以下であるか否かを判別し（ステップＳＡ７）、Ｋ≦ＬであればステップＳＡ１、及びおよびＳＡ２に戻り、次の連写画像の再生表示処理を実行し、そうでなければステップＳ５０に戻り表示時間間隔設定メニュー画面を表示する。
【０１９７】
以上がデジタルカメラ１のＣＰＵ３６により実行される連写画像再生表示処理（図１２のステップＳ５４〜Ｓ６１の処理）の変形例１の動作手順である。
【０１９８】
上記処理（変形例１）によれば、デジタルカメラ１の表示部１２と外部機器２の表示部にそれぞれ連写画像を表示して、各連写画像の画像データの相互比較を行うことができる。
【０１９９】
なお、上記図１６に示した連写画像再生表示処理においては、デジタルカメラ１の表示部１２に１組の連写画像、外部機器２に１組の連写画像を表示するようにしたが、デジタルカメラ１に複数の外部機器２を接続して、３組以上の連写画像を同時に表示するような制御構成としてもよく、全ての連写画像を外部機器に表示するような制御構成であってもよい。
【０２００】
また、同時に表示する連写画像の組数が、デジタルカメラ１に接続した外部機器２の数＋１（デジタルカメラ１の表示部１２）よりも多い場合には、その余分な組数の連写画像を外部機器あるいは表示部１２に分割表示（図１２参照）するような構成にしてもよい。
【０２０１】
また、上記連写画像再生表示処理（図１２中のステップＳ５４、ステップＳ５５の処理）は、図１８に示すような処理（変形例２）であってもよい。
【０２０２】
つまり、ステップＳ５３でＫ＝１とした後、図５（ｂ）に示す「連続再生画像データ情報」の各「組番号データ」に対応するＫ枚目の画像を多重合成したあと、この合成画像を図２１（ａ）〜図２１（ｄ）に示すようにデジタルカメラ１の表示部１２に再生表示して（ステップＳＡ１０）、ステップＳ５６の処理に移行するようにしてもよい。
【０２０３】
ここで、図２１（ａ）の表示画像は、図５（ｂ）に示す「連続再生画像データ情報」の「組番号データ」＝１に対応する「先頭画像データ」である「ページＮｏ．データ」＝７の画像データと、「組番号データ」＝２に対応する「先頭画像データ」である「ページＮｏ．データ」＝１３の画像データと、の合成画像である。同様に、図２１（ｂ）の表示画像は、「ページＮｏ．データ」＝８，１４の画像データの合成画像、図２１（ｃ）の表示画像は、「ページＮｏ．データ」＝９，１５の画像データの合成画像、図２１（ｄ）の表示画像は、「ページＮｏ．データ」＝１０，１６の画像データの合成画像である。
【０２０４】
上記処理（変形例２）によれば、各連写画像の対応する画像データを合成して表示するため、当該各連写画像を詳細に相互比較することができる。
【０２０５】
また、上記連写画像再生表示処理（図１２中のステップＳ５４〜ステップＳ６１の処理）は、図１９に示すような処理（変形例３）であってもよい。
【０２０６】
つまり、ステップＳ５３でＫ＝１とした後、デジタルカメラ１の表示部１２に表示する連写画像の組を指定する値をＪ＝１とする（ステップＳＢ１）。
【０２０７】
次いで、図５（ｂ）に示す「連写再生画像データ情報」中の「組番号データ」＝Ｊに対応するＫ枚目の画像（ステップＳＢ１から移行してきた場合には、「組番号データ」＝１の連写画像中の１枚目の画像（図２２（ａ）参照））を再生表示する（ステップＳＢ２）。
【０２０８】
その後、ＣＰＵ３６は、ＲＡＭ３４内の連写画像再生条件メモリ３４ｂに格納された「表示時間間隔」が"００"であるか否かを判別する（ステップＳＢ３）。
【０２０９】
ステップＳＢ３において、ＣＰＵ３６により「表示時間間隔」が"００"であると判別された場合、ＣＰＵ３６は、「＋」キー１７ａが押圧操作されたか否かを監視する（ステップＳＢ４）。
【０２１０】
ステップＳＢ３において、「表示時間間隔」が"００"でないと判別された場合、ＣＰＵ３６は、続いて「所定時間間隔」の値に従った所定の時間が経過したか否かを判別し（ステップＳＢ５）、ステップＳＢ５においてＣＰＵ３６により所定の時間が経過したと判別された場合、またはステップＳＢ４において「＋」キー１７ａが押圧操作された場合には、Ｊの値をインクリメントする（ステップＳＢ６）。
【０２１１】
次いでＣＰＵ３６は、ステップＳＢ６においてインクリメントされたＪの値がＲＡＭ３４内の連写画像再生条件メモリ３４ｂに格納された「組数データ」の値"Ｍ"以下であるか否かを判別し（ステップＳＢ７）、Ｊ≦ＭであればステップＳＢ８に移行し、「組番号データ」＝Ｊの連写画像中のＫ枚目の画像が存在するか否かを判別する（ステップＳＢ８）。
【０２１２】
なお、このステップＳＢ８の処理は、各「組画像データ」に対応する連続数が一致しない場合には必要な処理であるが、連続数が全て同じ場合は特に必要のない処理であるのでこの場合には省略してもよい。
【０２１３】
ステップＳＢ８で、「組番号データ」＝Ｊの連写画像中のＫ枚目の画像が存在すると判別された場合は、ステップＳＢ２の処理に戻り、対応する画像を再生表示する。
【０２１４】
以後、ステップＳＢ７で、Ｊ≦Ｍでないと判別されるまでステップＳＢ２〜ステップＳＢ８の処理を繰り返す。
【０２１５】
なお、ステップＳＢ８で、「組番号データ」＝Ｊの連写画像中のＫ枚目の画像が存在しないと判別された場合は、画像を再生表示することができないので、ステップＳＢ２〜ステップＳＢ５の処理をスキップしてステップＳＢ６の処理に移行する。
【０２１６】
また、ステップＳＢ７で、Ｊ≦Ｍでないと判別された場合、すなわち直前に表示されていた画像が、最も組番号が高い連写画像中の画像である場合には、ＣＰＵ３６は、Ｊの値を１に戻すと同時に（ステップＳＢ９）、Ｋの値をインクリメントする（ステップＳＢ１０）。
【０２１７】
次いでＣＰＵ３６は、ステップＳＢ１０でインクリメントされたＫの値がＲＡＭ３４内の連写画像再生条件メモリ３４ｂに格納された「最大連続数」の値"Ｌ"以下であるか否かを判別し（ステップＳＢ１１）、Ｋ≦ＬであればステップＳＢ８に移行する。
【０２１８】
以後、ステップＳＢ１１で、Ｋ≦Ｌでないと判別されるまでステップＳＢ２〜ステップＳＢ１１の処理を繰り返す。
【０２１９】
また、ステップＳＢ１１で、Ｋ≦Ｌであると判別された場合は、ステップＳ５０に戻り表示時間間隔設定メニュー画面を表示する。
【０２２０】
つまり、図５（ｂ）に示す連写画像再生条件メモリ３４ｂのデータ格納例に基づく図２２（ａ）〜図２２（ｄ）に示す連写画像再生表示の例では、先ず、「組番号データ」＝１に対応する「先頭画像データ」である「ページＮｏ．データ」＝７の画像データに対応する画像（図２２（ａ）参照）を表示し、続いて「組画像データ」＝２に対応する「先頭画像データ」である「ページＮｏ．データ」＝１３の画像データに対応する画像（図２２（ｂ）参照）を表示する。
【０２２１】
その後、「組番号データ」＝１、「ページＮｏ．データ」＝８の画像データに対応する画像（図２２（ｃ）参照）を表示し、「組画像データ」＝２、「ページＮｏ．データ」＝１４の画像データに対応する画像（図２２（ｄ）参照）を表示する。
【０２２２】
以後、図示は省略するが、「組番号データ」＝１、「ページＮｏ．データ」＝９の画像データに対応する画像、「組画像データ」＝２、「ページＮｏ．データ」＝１５の画像データに対応する画像、「組番号データ」＝１、「ページＮｏ．データ」＝１０の画像データに対応する画像、「組画像データ」＝２、「ページＮｏ．データ」＝１６の画像データに対応する画像の順で表示する。
【０２２３】
以上がデジタルカメラ１のＣＰＵ３６により実行される連写画像再生表示処理（図１２のステップＳ５４〜ステップＳ６１の処理）の変形例３の動作手順である。
【０２２４】
上記処理（変形例３）によれば、複数の連写画像を構成する画像データが交互に表示されるため、当該複数の連写画像の相互比較を容易かつ迅速に実行することができる。
【０２２５】
なお、上記図１９に示した連写画像再生表示処理においては、画像を１枚表示する度に、表示する連写画像の組を切り換えるようにしたが、画像を所定枚数表示する度に、表示する連写画像の組を切り換えるような制御構成としてもよい。
【０２２６】
また、上記連写画像再生表示処理（図１２のステップＳ５４〜ステップＳ６１の処理）は、図２０に示すような処理（変形例４）であってもよい。
【０２２７】
つまり、ステップＳ５３でＫ＝１とした後、表示部１２に表示する連写画像の組を指定する組の値をＪ＝１とする（ステップＳＣ１）。
【０２２８】
次いで、図５（ｂ）に示す「連写再生画像データ情報」中の「組番号データ」＝Ｊに対応するＫ枚目の画像（ステップＳＣ１から移行してきた場合には、「組画像データ」＝１の連写画像中の１枚目の画像（図２３（ａ）参照）を再生表示する（ステップＳＣ２）。
【０２２９】
その後、ＣＰＵ３６は、ＲＡＭ３４内の連写画像再生条件メモリ３４ｂに格納された「表示時間間隔」が"００"であるか否かを判別する（ステップＳＣ３）。
【０２３０】
ステップＳＣ３において、「表示時間間隔」が"００"であると判別された場合には、ＣＰＵ３６は、「＋」キー１７ａが押圧操作されたか否かを監視する（ステップＳＣ４）。
【０２３１】
ステップＳＣ３において、「表示時間間隔」が"００"でないと判別された場合、ＣＰＵ３６は、続いて「表示時間間隔」の値に従った所定の時間が経過したか否かを判別し（ステップＳＣ５）、ステップＳＣ５においてＣＰＵ３６により所定の時間が経過したと判別された場合、またはステップＳＣ４において「＋」キー１７ａが押圧操作された場合には、Ｋの値をインクリメントする（ステップＳＣ６）。
【０２３２】
次いでＣＰＵ３６は、ステップＳＣ６でインクリメントされたＫの値がＲＡＭ３４内の連写画像再生条件メモリ３４ｂに「組番号データ」＝Ｊに対応して格納された「連続数」の値以下であるか否かを判別し（ステップＳＣ７）、Ｋ≦「Ｊの連続数」であればステップＳＣ２に戻る。
【０２３３】
以後、ステップＳＣ７で、Ｋ≦「Ｊの連続数」でないと判別されるまでステップＳＣ２〜ステップＳＣ７の処理を繰り返す。
【０２３４】
また、ステップＳＣ７で、Ｋ≦「Ｊの連続数」でないと判別された場合、すなわち直前に表示されていた画像が、ある組の連写画像中の最後の画像である場合には、ＣＰＵ３６は、Ｋの値を１に戻すと同時に（ステップＳＣ８）、Ｊの値をインクリメントする（ステップＳＣ９）。
【０２３５】
次いでＣＰＵ３６は、ステップＳＣ９においてインクリメントされたＪの値がＲＡＭ３４内の連写画像再生条件メモリ３４ｂに格納された「組数データ」の値"Ｍ"以下であるか否かを判別し（ステップＳＣ１０）、Ｊ≦ＭであればステップＳＣ２に戻る。
【０２３６】
以後、ステップＳＣ１０で、Ｊ≦Ｍでないと判別されるまでステップＳＣ２〜ステップＳＣ１０の処理を繰り返す。
【０２３７】
また、ステップＳＣ１０で、Ｊ≦Ｍであると判別された場合は、ステップＳ５０に戻り表示時間間隔設定メニュー画面を表示する。
【０２３８】
つまり、図５（ｂ）に示す連写画像再生条件メモリ３４ｂのデータ格納例に基づく図２３（ａ）〜図２３（ｄ）に示す連写画像再生表示の例では、先ず、「組番号データ」＝１に対応する「先頭画像データ」である「ページＮｏ．データ」＝７の画像データに対応する画像（図２３（ａ）参照）を表示し、続いて「組画像データ」＝１、「ページＮｏ．データ」＝８の画像データに対応する画像（図示省略）、「組画像データ」＝１、「ページＮｏ．データ」＝９の画像データに対応する画像（図示省略）、「組画像データ」＝１、「ページＮｏ．データ」＝１０の画像データに対応する画像（図示２３（ｂ）参照）を表示する。
【０２３９】
以後、「組番号データ」＝２に対応する「先頭画像データ」である「ページＮｏ．データ」＝１３の画像データに対応する画像（図２３（ｃ）参照）、「組画像データ」＝２、「ページＮｏ．データ」＝１４の画像データに対応する画像（図示省略）、「組画像データ」＝２、「ページＮｏ．データ」＝１５の画像データに対応する画像（図示省略）、「組画像データ」＝２、「ページＮｏ．データ」＝１６の画像データに対応する画像（図示２３（ｄ）参照）を表示する。
【０２４０】
以上がデジタルカメラ１のＣＰＵ３６により実行される連写画像再生表示処理（図１２のステップＳ５４〜ステップＳ６１の処理）の変形例４の動作手順である。
【０２４１】
上記処理（変形例４）によれば、一の連写画像を構成する画像データの再生が終了した後、他の連写画像を構成する画像データが再生されるため、連写画像の相互比較を容易かつ迅速に実行することができる。
【０２４２】
次に、前記図１２のステップＳ６１において実行されるデジタルカメラ１のコメント画像合成処理について、図２４に示すフローチャート、図７、図８に示す各種情報格納テーブルの例、及び図１５（ａ）〜図１５（ｄ）に示す画面表示例に基づいて説明する。
【０２４３】
ＣＰＵ３６では、前記図１２のステップＳ５７において、シャッターキー１５が押圧操作されてコメント画像合成モードが指定されると、ＲＯＭ３３に格納されているコメント画像合成処理に関するプログラムを読み出して、その処理を開始する。
【０２４４】
まず、ＣＰＵ３６は、ＲＯＭ３３に格納されている各テーブル３４ｄ，３４ｅ（図７、図８参照）をＲＡＭ３４の所定領域に展開する等の初期処理を行なった後（ステップＳ７０）、コメント画像作成モードに移行して（ステップＳ７１）、合成するコメント文字やプレートの設定処理を行なう。
【０２４５】
このコメント画像作成モードにおいてＣＰＵ３６は、まず、コメント文字の設定処理を行なう。この設定処理においてＣＰＵ３６は、ＲＡＭ３４の定型コメント文格納テーブル３４ｄ（図７参照）から「格納Ｎｏ．データ」＝１の定型コメント文を読み出して、設定画面とともに表示部１２に表示する（ステップＳ７２）。
【０２４６】
その後、ＣＰＵ３６は、ステップＳ７３〜ステップＳ７５において、シャッターキー１５が押圧操作されておらず（ステップＳ７３）、「＋」キー１７ａ、あるいは「−」キー１７ｂの押圧操作に応じて（ステップＳ７４）、前記定型コメント文格納テーブル３４ｄに格納されている定型コメント文を、その「格納Ｎｏ．データ」順（「＋」キー１７ａが押圧操作された場合は昇順、「−」キー１７ｂが押圧操作された場合は降順）に順次読み出して、表示部１２に定型コメント文を切換表示し（ステップＳ７５）、ステップＳ７３に戻る。そして、ＣＰＵ３６は、シャッターキー１５の押圧操作により（ステップＳ７３）、その時点で表示部１２に表示されている定型コメント文を合成用のコメント文字として決定する（ステップＳ７６）。
【０２４７】
なお、コメント文字の設定処理は、定型コメント文以外にも任意のコメント文の設定が可能である。すなわち、「＋」キー１７ａ、あるいは「−」キー１７ｂの押圧操作に応じて、ＲＡＭ３４内のひらがなやカタカナ等が格納されているコメント文字格納テーブル（不図示）から「＋」キー１７ａ、あるいは「−」キー１７ｂの押圧操作に対応する文字データを１文字ずつ順次読み出して表示部１２に表示し、シャッターキー１５の押圧操作により、その時点で表示部１２に表示されている文字をコメント文の１文字として設定する工程を繰り返し行ない、任意のコメント文字を作成、設定する方法である。
【０２４８】
また、この他にも、コメント文字の設定処理は、例えば、当該デジタルカメラ１で撮像した文字画像そのものをコメント文字の画像データとして設定する方法や、前記撮像した文字画像から文字認識処理により文字データを得、当該文字データをコメント文字として設定する方法であってもよい。このようなコメント文字の設定方法によれば、キー入力を行なうことなく任意のコメント文字を設定することができる。また、表示部１２にタッチパネルを重ねる等して手書き入力機能を備え、ペン入力等による入力文字を２値化してコメント文字の画像データを設定する方法であってもよい。このようなコメント文字の設定方法によれば、コメント文字を手書き文字で設定することができる。
【０２４９】
さらには、当該デジタルカメラ１のシリアル入出力端子１８ａに通信ケーブルを介して接続可能な外部機器（例えば、パーソナルコンピュータ）で作成された文字データを通信処理により取り込んで、この取り込んだ文字データをコメント文字として設定する構成であってもよい。
【０２５０】
このようにしてコメント文字が設定されると、次いで、ＣＰＵ３６はプレート設定処理に移行する。この設定処理においてＣＰＵ３６は、まず、ＲＡＭ３４内のプレート格納テーブル３４ｅ（図８参照）から「格納Ｎｏ．データ」＝１のプレート画像データを読み出す。そして、このプレート画像データを圧縮／伸長回路３０に転送し、伸長処理を行なわせた後、シグナルジェネレータ２５により同期信号を付加する等してビデオ信号に変換させて表示部１２に出力させ、前記設定されたコメント文字に該プレートを重ねて表示する（ステップＳ７７）。
【０２５１】
その後、ＣＰＵ３６は、ステップＳ７８〜Ｓ８０において、シャッターキー１５が押圧操作されておらず（ステップＳ７８）、「＋」キー１７ａ、あるいは「−」キー１７ｂの押圧操作に応じて（ステップＳ７９）、前記プレート格納テーブル３４ｅに格納されているプレート画像データを、その「格納Ｎｏ．データ」順（「＋」キー１７ａが押圧操作された場合は昇順、「−」キー１７ｂが押圧操作された場合は降順）に順次読み出して、同様にして伸長処理、ビデオ信号変換処理等を行なわせて表示部１２に出力させ、プレートを切換表示し（ステップＳ８０）、ステップＳ７８に戻る。そして、ＣＰＵ３６は、シャッターキー１５の押圧操作により（ステップＳ７８）、その時点で表示部１２に表示されているプレートを合成用のプレートとして決定する（ステップＳ８１）。
【０２５２】
このようにしてプレートが設定されると、ＣＰＵ３６は、このようにしてコメント画像作成モード（ステップＳ７１〜ステップＳ８１）において設定した各種条件に基づいて、ＣＰＵ３６は、ＲＡＭ３４内の連写画像再生条件メモリ３４ｂに設定される「コメント画像データ情報」として、図５（ｃ）に示す「定型コメント文格納Ｎｏ．データ」、「プレート格納Ｎｏ．データ」、及び「合成対象画像データ」の各情報を格納する（ステップＳ８２）。
【０２５３】
次いで、ＣＰＵ３６は、コメント画像合成モードに移行して、前記図１２のステップＳ５７においてシャッターキー１５の押圧操作時に表示されていた複数組の連写画像に対応する複数の画像データに、前記生成したコメント画像を関連づけ、合成して記憶する処理を行なう。
【０２５４】
このコメント画像合成モードにおいてＣＰＵ３６は、まず、コメント画像の合成位置設定処理を行なう。この設定処理においてＣＰＵ３６は、設定画面上に前記図１２のステップＳ５７においてシャッターキー１５を押圧操作時に表示されていた複数組の連写画像を表示するとともに、その画像の下方に前記作成したコメント画像を重ねて表示する（ステップＳ８３）。
【０２５５】
次いで、ＣＰＵ３６は、ステップＳ８４〜ステップＳ８６において、シャッターキー１５が押圧操作されておらず（ステップＳ８４）、「＋」キー１７ａ、あるいは「−」キー１７ｂの押圧操作に応じて（ステップＳ８５）、前記コメント画像の表示位置を上下（「＋」キー１７ａが押圧操作された場合は上方向、「−」キー１７ｂが押圧操作された場合は下方向）に変更し（ステップＳ８６）、ステップＳ８４に戻る。そして、ＣＰＵ３６は、シャッターキー１５の押圧操作により（ステップＳ８４）、その時点でのコメント画像の表示位置を合成位置として決定する（ステップＳ８７）。なお、合成位置の設定は、上下方向のみに限定されるものではなく、左右方向への設定も可能な構成であってもよく、さらには、作成したコメント画像のサイズを様々に拡大・縮小して画像合成したり、前記コメント画像を様々な回転角度で回転させて画像合成する等の各種設定が可能な構成としてもよい。
【０２５６】
ステップＳ８７において、前記生成したコメント画像の合成位置が設定されると、ＣＰＵ３６は、ＲＡＭ３４内の連写画像再生条件メモリ３４ｂに設定される「コメント画像データ情報」として、当該合成位置の座標を図５（ｃ）に示す「合成座標」を格納し（ステップＳ８８）、更に、この「コメント画像データ情報」を含む連写画像再生条件メモリ３４ｂの内容をフラッシュメモリ３１に格納して保存し（ステップＳ８９）、前記図１２のステップＳ５７に戻る。
【０２５７】
以上がデジタルカメラ１により実行されるコメント画像合成処理の動作手順である。
【０２５８】
上記処理によれば、連写画像にコメント等の画像を合成することができ、実用性の向上が図られる。
【０２５９】
なお、上記再生表示処理（図１０、図１２、図１８、図１９、図２０、及び図２４参照）においては、デジタルカメラ１の表示部１２に通常の撮像画像や連写画像を再生表示する場合について述べたが、例えば、図１７に示すように当該デジタルカメラ１のビデオ出力端子１８ｂにビデオケーブルを介してテレビ受像機等の外部機器を接続すれば、その表示画面に同様の再生表示を行なえることは勿論である。
【０２６０】
その他、後述する複数の形態の通信方式（図２５（ａ）〜図２５（ｄ）参照）の内のいずれかの方式によって、外部機器からデジタルカメラ１に画像データ（撮像したものに限らずに、文字や描画によって表現されるものであっても良い）を転送する等して取り込んだ画像データについてもその表示画面に同様の再生表示を行うこともできる。
【０２６１】
そして、上記連写画像再生処理（図１２参照）による連続再生表示を前記取り込んだ画像データの色や形を変化させることによって行ってもよい。すなわち、元の画像データに対する所定の演算をＣＰＵ３６で行った新たな画像データを、ＶＲＡＭ２６に格納し直すことにより、連続する複数の画像データを１枚の画像データで代替することもできる。
【０２６２】
更に、上記連写画像再生処理（図１２参照）においては、上記撮像処理（図９参照）において連写撮影された画像を連続再生する場合について述べたが、通常の撮影がなされた複数の画像データをグループ化して、１組の連続再生画像データとして扱うこともできる。
【０２６３】
また、上記連写画像再生表示処理（図１２参照）においては、同時またはシリアルに表示する連写画像の組をキー操作により選択するようにしたが、ある特定モードで撮影された複数組の連写画像を同時あるいはシリアルに表示する連写画像の組として決定するようにしてもよい。
【０２６４】
また、ＣＰＵ３６では、モード切換スイッチ１３がスライド操作されて通信モードが指定されると、当該デジタルカメラ１と外部機器との間で行なわれるデータ通信の通信形態に応じた通信処理に関するプログラムをＲＯＭ３３から読み出して、その処理（図示外）を実行し、ＣＰＵ３６は、「＋」キー１７ａ、あるいは「−」キー１７ｂの押圧操作に応じて、フラッシュメモリ３１に格納された画像データ（通常の撮像画像データや連写画像データ）を表示部１２に再生表示する。そして、シャッターキー１５の押圧操作により、その時点で表示部１２に再生表示されている画像データを外部機器に転送する画像データとして指定して、再生表示のためにＤＲＡＭ２９に展開された当該画像データを圧縮／伸長回路３０に転送し、圧縮／伸長回路３０で圧縮処理を行なわせた後、この画像データを赤外線通信部３８に出力する。そして、該画像データを赤外線通信部３８から赤外線パルスにより相手先外部機器に転送する。
【０２６５】
図２５（ａ）〜図２５（ｄ）は、デジタルカメラ１と外部機器との間のデータ通信形態について示す図である。
【０２６６】
図２５（ａ）はＩｒＤＡ方式の赤外線通信によりデータ通信を行う場合について示す図であり、図２５（ｂ）は通信ケーブル（ＲＳ−２３２Ｃ形式）を介してデータ通信を行う場合について示す図であり、図２５（ｃ）はメモリカードを介してデータ授受を行う場合について示す図であり、図２５（ｄ）は通信回線を介してデータ通信を行う場合について示す図である。
【０２６７】
図２５（ａ）は、赤外線通信部３８を用い、赤外線通信機能を備えた外部機器との間で赤外線通信（ＩｒＤＡ方式）により当該デジタルカメラ１のフラッシュメモリ３１に格納された画像データを外部機器に転送、あるいは外部機器からデジタルカメラ１にコメント画像データを転送する場合について示している。また、前記赤外線通信以外の、電波を用いた各種無線通信によって画像データを外部機器に転送する構成であってもよい。
【０２６８】
図２５（ｂ）は、デジタルカメラ１と外部機器の双方にＲＳ−２３２Ｃ規格に対応するＩ／Ｏポートを備え、デジタルカメラ１と外部機器との間を通信ケーブル（ＲＳ−２３２Ｃ形式）を介して接続した場合について示している。この通信ケーブルを介して接続されたデジタルカメラ１と外部機器では、ＲＳ−２３２Ｃ規格に準じたシリアル信号形態でデジタルカメラ１から外部機器に画像データを転送、あるいは外部機器からデジタルカメラ１にコメント画像データを転送する。
【０２６９】
図２５（ｃ）は、デジタルカメラ１と外部機器の双方にＰＣＭＣＩＡ（Personal Computer Memory Card International Association ）規格等に準じたメモリカードを接続可能なカードスロットを備え、デジタルカメラ１と外部機器との間でメモリカードを介してデータ授受を行なう場合について示している。このカードスロットを備えたデジタルカメラ１と外部機器では、デジタルカメラ１において画像データをメモリカードに記憶させて、このメモリカードを外部機器のカードスロットに移動させることにより、デジタルカメラ１から外部機器に画像データを転送、あるいは外部機器からデジタルカメラ１にコメント画像データを転送することができる。なお、このような記憶媒体を介したデータ転送の場合、前記記憶媒体はメモリカードに限定されず、その他の半導体メモリや磁気的、光学的記憶媒体等であってもよいことは勿論である。
【０２７０】
図２５（ｄ）は、デジタルカメラ１と外部機器の双方に通信回線に対応するデータ通信機能を備え、デジタルカメラ１と外部機器との間を所定の通信回線（公衆回線網やＬＡＮ等）を介して接続した場合について示している。この通信回線を介して接続されたデジタルカメラ１と外部機器では、通信回線に応じた信号形態でデジタルカメラ１から外部機器に画像データを転送、あるいは外部機器からデジタルカメラ１にコメント画像データを転送する。
【０２７１】
以上、本発明を実施の形態に基づいて具体的に説明したが、本発明は上記実施の形態例に限定されるものではなく、その要旨を逸脱しない範囲で適宜に変更可能であることは勿論である。
【０２７２】
例えば、上記実施の形態例においては、各種制御プログラムをＲＯＭに、撮像した画像データをフラッシュメモリに格納する構成としたが、これらの各種制御プログラムや画像データが格納される記憶媒体は、前記ＲＯＭやフラッシュメモリ等の半導体メモリに限定されるものではなく、磁気的、光学的記憶媒体等であってもよい。また、この記憶媒体は、本体装置に対して着脱自在に装着可能な構成であってもよい。
【０２７３】
また、本発明は、例えば、ＣＣＤカメラを備えたＰＣＭＣＩＡ規格のＰＣカメラカード等を装着することにより撮像機能を有することとなる携帯用電子機器やパーソナルコンピュータ等に対しても適用可能であることは勿論である。
【０２７４】
【発明の効果】
請求項１、２及び請求項１４記載の発明によれば、記憶手段に記憶されている複数組の連写画像データを同時に再生させるため、複数組の連写画像データの相互比較を容易にかつ迅速に行うことが可能となり、ゴルフのスイングなどの一連の動作からなる連写画像データの相互比較に有効な画像再生装置を実現できる。
【０２７５】
請求項３記載の発明によれば、画像再生装置に再生された連写画像データを表示する機能が付加されたため、画像再生装置で直接連写画像データの再生画像を表示することが可能となる。
請求項４記載の発明によれば、画像データを外部表示器に送信する送信機能が付加されているため、複数の連写画像データを外部表示器に送信して、外部表示器に複数の連写画像データを表示することが可能となる。
請求項５記載の発明によれば、画像を表示する表示画面が同時に順次再生させる連写画像データの組数に応じて分割され、その分割した各表示領域に各連写画像データが表示されるため、同一表示画面内に複数の連写画像データを並べて表示することが可能となるとともに、表示画面の領域を有効利用することが可能となる。
【０２７６】
請求項６記載の発明によれば、同時に再生される画像データが重ねて再生されるため、連写画像データの相互比較を詳細に行うことが可能となる。
【０２７９】
請求項７記載の発明によれば、画像データを表示する表示機能、及び画像データを外部表示器に送信する送信機能が付加されているため、複数組の連写画像データの少なくとも一つを画像再生装置本体で表示し、他の連写画像データを外部表示器に表示することが可能となる。
【０２８０】
請求項８記載の発明によれば、画像再生装置に被写体の画像を連続撮影する連写機能が付加されたため、画像再生装置で直接被写体の画像データを連続して取り込むことが可能となり、また、画像再生装置で直接連続して取り込んだ被写体の画像を連続再生することができる。
【０２８１】
請求項９記載の発明によれば、予め設定されている表示時間間隔で画像データが再生されるため、各連写画像データを構成する複数の画像データを自動的に連続再生することが可能となり、操作性の向上が図られる。
【０２８２】
請求項１０記載の発明によれば、連写画像データの連続自動再生を所望の表示時間間隔で実行することが可能となり、実用性の向上が図られる。
【０２８３】
請求項１１記載の発明によれば、再生画像の切り換えを指示することにより再生画像が切り換えられるため、マニュアル操作が可能となり、また各連写画像データを相互比較する場合に、当該各連写画像データを構成する画像データを相互比較し終えた時に再生画像の切り換えを行うことができる。
【０２８４】
請求項１２、１３記載の発明によれば、連写画像データを構成する複数の画像データから再生を開始する画像データを指定することができるため、複数の連写画像データの相互比較をより容易にかつ迅速に行うことが可能となる。
【図面の簡単な説明】
【図１】本発明を適用したデジタルカメラ１の外観斜視図。
【図２】図１のデジタルカメラ１の回路構成を示すブロック図。
【図３】図２のフラッシュメモリ３１のメモリ構成について示す図。
【図４】図２のＲＡＭ３４のメモリ構成について示す図。
【図５】図４の連写画像再生条件メモリ３４ｂのメモリ構成について示す図（図５（ａ））、図５（ａ）の「連続再生画像データ情報」の構成について示す図（図５（ｂ））、図５（ａ）の「コメント画像データ情報」の構成について示す図（図５（ｃ））。
【図６】図４の撮像条件メモリ３４ｃのメモリ構成について示す図。
【図７】図４の定型コメント文格納テーブル３４ｄの一例について示す図。
【図８】図４のプレート文字格納テーブル３４ｅの一例について示す図。
【図９】デジタルカメラ１の撮像処理について説明するフローチャート。
【図１０】デジタルカメラ１の再生表示処理について説明するフローチャート。
【図１１】連写画像データの再生表示の一例について示す図（図１１（ａ））、再生メニュー画面の一例について示す図（図１１（ｂ））。
【図１２】デジタルカメラ１の連写画像再生表示処理について説明するフローチャート。
【図１３】連写画像選択メニュー画面の一例について示す図。
【図１４】表示時間間隔設定メニュー画面の一例について示す図。
【図１５】図１２に示す連写画像再生表示処理により再生表示される連写画像再生表示画面（４連写）の一例について示す図。
【図１６】図１２に示した連写画像再生表示処理の変形例１について説明するフローチャートである。
【図１７】図１６に示した連写画像再生表示処理の変形例１により再生表示される連写画像再生表示方法の一例を示す図である。
【図１８】図１２に示した連写画像再生表示処理の変形例２について説明するフローチャートである。
【図１９】図１２に示した連写画像再生表示処理の変形例３について説明するフローチャートである。
【図２０】図１２に示した連写画像再生表示処理の変形例４について説明するフローチャートである。
【図２１】図１８に示した連写画像再生表示処理の変形例２により再生表示される連写画像の一例を示す図である。
【図２２】図１９に示した連写画像再生表示処理の変形例３により再生表示される連写画像の一例を示す図である。
【図２３】図２０に示した連写画像再生表示処理の変形例４により再生表示される連写画像の一例を示す図である。
【図２４】デジタルカメラ１のコメント画像合成処理について説明するフローチャート。
【図２５】デジタルカメラ１と外部機器との間のデータ通信形態について示す図。
【符号の説明】
１      デジタルカメラ
１ａ    本体ケーシング
１１      撮像レンズ
１２      表示部
１３      モード切換スイッチ
１４      電源スイッチ
１５      シャッターキー
１６      メニューキー
１７ａ    「＋」キー
１７ｂ    「−」キー
１８ａ    シリアル入出力端子
１８ｂ    ビデオ出力端子
１９      赤外線窓
２０      ＣＣＤ
２１      バッファ
２２      Ａ／Ｄ変換器
２３      駆動回路
２４      タイミングジェネレータ
２５      シグナルジェネレータ
２６      ＶＲＡＭ
２７      Ｄ／Ａ変換器
２８      バッファ
２９      ＤＲＡＭ
３０      圧縮／伸長回路
３１      フラッシュメモリ
３２      ＣＧ
３３      ＲＯＭ
３４      ＲＡＭ
３４ａ    ワークメモリ
３４ｂ    連写画像再生条件メモリ
３４ｃ    撮像条件メモリ
３４ｄ    定型コメント文格納テーブル
３４ｅ    コメント文字格納テーブル
３５      キー入力部
３６      ＣＰＵ
３７      Ｉ／Ｏポート
３８      赤外線通信部
【図１】
0003747750.tif 000002
【図２】
0003747750.tif 000003
【図３】
0003747750.tif 000004
【図４】
0003747750.tif 000005
【図５】
0003747750.tif 000006
【図６】
0003747750.tif 000007
【図７】
0003747750.tif 000008
【図８】
0003747750.tif 000009
【図９】
0003747750.tif 000010
【図１０】
0003747750.tif 000011
【図１１】
0003747750.tif 000012
【図１２】
0003747750.tif 000013
【図１３】
0003747750.tif 000014
【図１４】
0003747750.tif 000015
【図１５】
0003747750.tif 000016
【図１６】
0003747750.tif 000017
【図１７】
0003747750.tif 000018
【図１８】
0003747750.tif 000019
【図１９】
0003747750.tif 000020
【図２０】
0003747750.tif 000021
【図２１】
0003747750.tif 000022
【図２２】
0003747750.tif 000023
【図２３】
0003747750.tif 000024
【図２４】
0003747750.tif 000025
【図２５】
0003747750.tif 000026